(57)【要約】  本発明は、皮膚を通してビタミンＣを送達するイオン泳動法であって、選択された電流プロファイル、連続直流電流、パルス電流のいずれか、または両方の組合せを少なくとも１つの電極を備える任意のデバイスおよび／またはサポートから生体対象に印加するステップであって、連続直流電流、パルス電流、または両方の組合せはビタミンＣを生体対象に経皮的に送達する性質のものであり、送達するのに十分な持続時間にわたるものである、ステップと、選択された電流モードに従って異なる率のビタミンＣを皮膚上に輸送するステップとを含むイオン泳動法に関するものである。
2019500109.tif 000002
【特許請求の範囲】
【請求項１】
皮膚を通してビタミンＣを送達するイオン泳動法であって、
選択された電流プロファイル、連続直流電流、パルス電流のいずれか、または両方の組合せを少なくとも１つの電極を備える任意のデバイスおよび／またはサポートから生体対象に印加するステップであって、前記連続直流電流、前記パルス電流、または両方の前記組合せはビタミンＣを生体対象に経皮的に送達する性質のものであり、送達するのに十分な持続時間にわたるものである、ステップと、前記選択された電流モードに従って異なる率のビタミンＣを前記皮膚上に輸送するステップと、を含むイオン泳動法。
【請求項２】
選択された電流プロファイルを生体対象に印加するステップは、０．００１ｍＡ／ｃｍ２から０．５ｍＡ／ｃｍ２の範囲の平均電流密度を有する連続直流電流刺激を発生するステップを含む請求項１に記載のイオン泳動法。
【請求項３】
選択された電流プロファイルを生体対象に印加するステップは、０．２ｍＡ／ｃｍ２の平均電流密度を有する連続直流電流刺激を発生するステップを含む請求項１または２に記載のイオン泳動法。
【請求項４】
選択された電流プロファイルを生体対象に印加するステップは、正弦波形、非正弦波形、またはこれらの組合せを有するパルス電流を発生するステップを含む請求項１から３のいずれか一項に記載のイオン泳動法。
【請求項５】
選択された電流プロファイルを生体対象に印加するステップは、周期方形波形、矩形波形、鋸波形、スパイク波形、台形波形、三角波形、またはこれらの組合せを有するパルス電流を発生するステップを含む請求項１から４のいずれか一項に記載のイオン泳動法。
【請求項６】
選択された電流プロファイルを生体対象に印加するステップは、前記連続直流電流および前記パルス電流を送達するステップと、０．００５ｍＡ／ｃｍ２から０．５ｍＡ／ｃｍ２の範囲の平均電流密度と、１００マイクロ秒から５００マイクロ秒の範囲のパルス持続時間と、１ヘルツから５００ヘルツの範囲のパルス周波数とを有するパルス電流刺激を発生するステップと、を同時に実行するステップを含む請求項１から５のいずれか一項に記載のイオン泳動法。
【請求項７】
組成物を経皮的に送達するステップであって、前記組成物は
０．０１重量％から１００重量％、好ましくは０．５重量％から６０重量％の範囲の量で存在するビタミンＣ、ビタミンＣ誘導体、ビタミンＣのイオン、およびビタミンＣ誘導体のイオンのうちの１つまたは複数を含む、ステップをさらに含む請求項１から６のいずれか一項に記載のイオン泳動法。
【請求項８】
水性組成物を経皮的に送達するステップであって、前記水性組成物は
０．０１重量％から３０重量％の範囲の量で存在する１つまたは複数のケイ素表面活性剤と、
０．０１重量％から１０重量％の範囲の量で存在する１つまたは複数のイオン性ポリマーと、
少なくとも３０重量％の量で存在する水と、を含む、ステップをさらに含む請求項７に記載のイオン泳動法。
【請求項９】
水性組成物を経皮的に送達するステップであって、前記水性組成物は
０．０１重量％から３０重量％の範囲の量で存在するビタミンＣ、ビタミンＣ誘導体、ビタミンＣのイオン、およびビタミンＣ誘導体のイオンのうちの１つまたは複数と、
０．０１重量％から３０重量％の範囲の量で存在する１つまたは複数のケイ素表面活性剤と、
０．０１重量％から２０重量％の範囲の量で存在する１つまたは複数の非イオン性ポリマーと、
少なくとも３０重量％の量で存在する水と、を含む、ステップをさらに含む請求項１から８のいずれか一項に記載のイオン泳動法。
【請求項１０】
ビタミンＣ、特に水性活性剤組成物を経皮的に送達するステップは、
０．０１ｍＡ／ｃｍ２から０．５ｍＡ／ｃｍ２の範囲の平均電流密度を有する連続直流電流刺激を発生するステップと、
０．０１ｍＡ／ｃｍ２から１０ｍＡ／ｃｍ２の範囲の平均電流密度と、１０マイクロ秒から５００マイクロ秒の範囲のパルス持続時間と、１０ヘルツから５００ヘルツの範囲のパルス周波数と、を有するパルス電流刺激を発生するステップとを含み、
前記連続直流電流および前記パルス電流は水性活性剤組成物を生体対象に経皮的に送達するのに十分な持続時間にわたるものである請求項１から９のいずれか一項に記載のイオン泳動法。
【請求項１１】
前記皮膚の温度、前記皮膚のインピーダンス、および前記組成物のｐＨのうちの少なくとも１つを測定する前記ステップを含む請求項１から１０のいずれか一項に記載のイオン泳動法。
【請求項１２】
電流プロファイルの印加は、センサのうちの１つによって測定された測定値が安全範囲もしくは安全値を超えたときに安全レベルまで下げられる請求項１１に記載のイオン泳動法。
【請求項１３】
イオン泳動組成物であって、
０．１重量％から３０重量％の範囲の量で存在するビタミンＣ、ビタミンＣ誘導体、ビタミンＣのイオン、およびビタミンＣ誘導体のイオンのうちの１つまたは複数と、
０．１重量％から３０重量％の範囲の量で存在する１つまたは複数のケイ素材料と、
少なくとも２０重量％の量で存在する水と、を含み、
前記イオン泳動組成物は前記イオン泳動組成物の総重量に対して少なくとも３０重量％である水相を有する、イオン泳動組成物。
【請求項１４】
０．０１重量％から１０重量％の範囲の量で存在する１つまたは複数のイオン性ポリマーをさらに含み、
ビタミンＣ、ビタミンＣ誘導体、ビタミンＣのイオン、およびビタミンＣ誘導体のイオンのうちの前記１つまたは複数は、０．１重量％から３０重量％の範囲の量で存在する請求項１３に記載のイオン泳動組成物。
【請求項１５】
０．０１重量％から２０重量％の範囲の量で存在する１つまたは複数の非イオン性ポリマーをさらに含み、
ビタミンＣ、ビタミンＣ誘導体、ビタミンＣのイオン、およびビタミンＣ誘導体のイオンのうちの前記１つまたは複数は、０．０１重量％から３０重量％の範囲の量で存在する請求項１３または１４に記載のイオン泳動組成物。
【請求項１６】
ｐＨが２から７．５の範囲にわたることをさらに含む請求項１３から１５のいずれか一項に記載のイオン泳動組成物。
【請求項１７】
イオン泳動キットであって、
−  ビタミンＣ、ビタミンＣ誘導体、ビタミンＣのイオン、およびビタミンＣ誘導体のイオンのうちの１つまたは複数を含むイオン泳動組成物と、
−  請求項１から１２のいずれか一項に記載の前記イオン泳動法を実行するためのイオン泳動デバイスと、を備えるイオン泳動キット。
【請求項１８】
前記組成物は、水性組成物である請求項１７に記載のイオン泳動キット。
【請求項１９】
前記キットは前記組成物が前記皮膚に塗布されるときにビタミンＣおよび水が前記組成物中にすでに混合されているように構成される請求項１７または１８に記載のイオン泳動キット。
【請求項２０】
前記デバイスは温度センサ、インピーダンスセンサ、およびｐＨセンサのうちの少なくとも１つを備える請求項１７から１９のいずれか一項に記載のイオン泳動キット。
【請求項２１】
前記デバイスは、電流プロファイルの印加が、前記センサのうちの１つによって測定された測定値が安全範囲もしくは安全値を超えたときに安全レベルまで下げられるように構成される請求項２０に記載のイオン泳動キット。
【請求項２２】
イオン泳動デバイスであって、
少なくとも１つの電極と活性剤とを備える電極アセンブリと、
前記電極アセンブリに動作可能に結合され、少なくとも連続直流電流刺激およびパルス電流刺激を同じ電極に対して同時に発生させるように構成される回路であって、前記連続直流電流刺激および前記パルス電流刺激は活性剤を生体対象に送達する性質のものであり、送達するのに十分な持続時間にわたるものである、回路と、を備えるイオン泳動デバイス。
【請求項２３】
前記連続直流電流刺激は、０．００１ｍＡ／ｃｍ２から０．５ｍＡ／ｃｍ２の範囲の平均電流密度を備える請求項２２に記載のイオン泳動デバイス。
【請求項２４】
前記連続直流電流刺激は、０．２ｍＡ／ｃｍ２の平均電流密度を備える請求項２２または２３に記載のイオン泳動デバイス。
【請求項２５】
前記パルス電流刺激は、０．０１ｍＡ／ｃｍ２から１０ｍＡ／ｃｍ２の範囲の平均電流密度と、５０マイクロ秒から１ミリ秒、好ましくは１００マイクロ秒から５００マイクロ秒の範囲のパルス幅と、１ヘルツから５００ヘルツの範囲のパルス周波数と、１％から９０％の範囲のパルスのデューティサイクルと、を備える請求項２２から２４のいずれか一項に記載のイオン泳動デバイス。
【請求項２６】
前記パルス電流刺激は、０．００１ｍＡ／ｃｍ２から１０ｍＡ／ｃｍ２の範囲の平均電流密度と、５０マイクロ秒から１ミリ秒の範囲のパルス幅と、２から２０パルスの範囲の少なくとも１つの波束（または波列）と、１ヘルツから５００ヘルツの範囲の波束の周波数と、１％から９０％の範囲のパルスのデューティサイクルと、を備える請求項２２から２５のいずれか一項に記載のイオン泳動デバイス。
【請求項２７】
前記パルス電流刺激は、０．０１ｍＡ／ｃｍ２から１０ｍＡ／ｃｍ２の範囲の平均電流密度と、５０マイクロ秒から１ミリ秒の範囲のパルス幅と、極性が交互に変わる２から２０パルスの範囲の少なくとも１つの波束（または波列）と、１０ヘルツから５００ヘルツの範囲の波束の周波数と、１％から９０％の範囲のパルスのデューティサイクルと、を備える請求項２２から２６のいずれか一項に記載のイオン泳動デバイス。
【請求項２８】
前記パルス電流刺激は、０．２ｍＡ／ｃｍ２の平均電流密度と、５００マイクロ秒の交流パルス持続時間と、２００ヘルツのパルス周波数と、を備える請求項２２から２７のいずれか一項に記載のイオン泳動デバイス。
【請求項２９】
前記電極アセンブリは、活性剤、特に活性剤組成物、たとえば、水性活性剤組成物を保持する少なくとも１つの貯槽を備える請求項２２から２８のいずれか一項に記載のイオン泳動デバイス。
【請求項３０】
前記電極アセンブリは、化粧品組成物、特に活性剤組成物を保持する貯槽に電気的に結合されている少なくとも１つの活性電極を備え、前記電極アセンブリは前記連続直流電流刺激および前記パルス電流刺激を同時に発生するように構成されている前記回路からの１つまたは複数の入力に応答して前記活性剤組成物を生体対象に経皮的に送達するように動作可能である請求項２２から２９のいずれか一項に記載のイオン泳動デバイス。
【請求項３１】
前記電極アセンブリは、少なくとも１つの電源に電気的に結合される請求項２２から３０のいずれか一項に記載のイオン泳動デバイス。
【請求項３２】
前記電極アセンブリは、少なくとも１つの活性電極アセンブリと、少なくとも１つの対向電極アセンブリと、を備える請求項２２に記載のイオン泳動デバイス。
【請求項３３】
前記電極アセンブリは、
特に保湿剤もしくは保湿活性剤、アンチエージング活性剤、たとえば、脱色活性剤、皮膚微小循環に作用する活性剤、または皮脂調節活性剤から選択された活性剤を含む、フェイスケアまたはボディケア組成物と、
顔または身体のメークアップ用の組成物と、
ヘア組成物、特に、髪を洗うため、ヘアケアもしくはコンディショニングのため、髪の形を一時的に保持するかもしくは整えるため、髪を一時的に、半永久的に、もしくは永久的に染めるため、または髪のウェーブを緩和するかもしくは永久的なウェーブにするための組成物、特に、毛根および髪の縮れを真っ直ぐにする、染める、もしくは漂白するための組成物と、
頭皮用の組成物、特に、ふけ防止組成物、髪の喪失を予防するもしくは髪の再成長を促進するための組成物、抗脂漏性組成物、抗炎症性組成物、抗刺激もしくは鎮静組成物、マーク防止組成物、または頭皮を刺激もしくは保護するための組成物と、を含む化粧品組成物を保持する少なくとも１つの貯槽を具備する請求項２２から３２のいずれか一項に記載のイオン泳動デバイス。
【請求項３４】
前記組成物が皮膚に塗布されるときに活性剤および水が前記組成物中にすでに混合されているように構成される請求項２２から３３のいずれか一項に記載のイオン泳動デバイス。
【請求項３５】
前記活性剤は、ビタミンＣである請求項２２から３４のいずれか一項に記載のイオン泳動デバイス。
【請求項３６】
温度センサ、インピーダンスセンサ、およびｐＨセンサのうちの少なくとも１つを備える請求項２２から３５のいずれか一項に記載のイオン泳動デバイス。
【請求項３７】
電流プロファイルの印加が、前記センサのうちの１つによって測定された測定値が安全範囲もしくは安全値を超えたときに安全レベルまで下げられるように構成される請求項３６に記載のイオン泳動デバイス。
【請求項３８】
イオン泳動法であって、
連続直流電流およびパルス電流を生体対象に同時に送達するステップであって、前記連続直流電流および前記パルス電流は化粧品組成物を生体対象に送達する性質のものであり、送達するのに十分な持続時間にわたるものである、ステップを含むイオン泳動法。
【請求項３９】
前記連続直流電流および前記パルス電流を生体対象に同時に送達するステップは、０．０１ｍＡ／ｃｍ２から０．５ｍＡ／ｃｍ２の範囲の平均電流密度を有する連続直流電流刺激を発生するステップを含む請求項３８に記載のイオン泳動法。
【請求項４０】
前記連続直流電流および前記パルス電流を生体対象に同時に送達するステップは、０．２ｍＡ／ｃｍ２の平均電流密度を有する連続直流電流刺激を発生するステップを含む請求項３８または３９に記載のイオン泳動法。
【請求項４１】
前記連続直流電流および前記パルス電流を生体対象に同時に送達するステップは、０．０１ｍＡ／ｃｍ２から１０ｍＡ／ｃｍ２の範囲の平均電流密度と、５０マイクロ秒から１ミリ秒の範囲のパルス持続時間と、１０ヘルツから５００ヘルツの範囲のパルス周波数と、１％から９０％の範囲のパルスのデューティサイクルと、を有するパルス電流刺激を発生するステップを含む請求項３８から４０のいずれか一項に記載のイオン泳動法。
【請求項４２】
前記連続直流電流および前記パルス電流を生体対象に同時に送達するステップは、０．２ｍＡ／ｃｍ２の平均電流密度、５００マイクロ秒のパルス持続時間、および２００ヘルツのパルス周波数を有するパルス交流電流刺激を発生するステップを含む請求項３８から４１のいずれか一項に記載のイオン泳動法。
【請求項４３】
前記パルス電流は、０．０１ｍＡ／ｃｍ２から１０ｍＡ／ｃｍ２の範囲の平均電流密度と、５０マイクロ秒から１ミリ秒の範囲のパルス幅と、２から２０パルスの範囲の少なくとも１つの波束（または波列）と、１０ヘルツから５００ヘルツの範囲の波束の周波数と、１％から９０％の範囲のパルスのデューティサイクルと、を備える請求項３８から４１のいずれか一項に記載のイオン泳動法。
【請求項４４】
前記パルス電流刺激は、０．０１ｍＡ／ｃｍ２から１０ｍＡ／ｃｍ２の範囲の平均電流密度と、５０マイクロ秒から１ミリ秒の範囲のパルス幅と、極性が交互に変わる２から２０パルスの範囲の少なくとも１つの波束（または波列）と、１０ヘルツから５００ヘルツの範囲の波束の周波数と、１％から９０％の範囲のパルスのデューティサイクルと、を備える請求項３８から４３のいずれか一項に記載のイオン泳動法。
【請求項４５】
前記連続直流電流および前記パルス電流を生体対象に同時に送達するステップは、正弦波形、非正弦波形、またはこれらの組合せを有するパルス電流を発生するステップを含む請求項３８から４４のいずれか一項に記載のイオン泳動法。
【請求項４６】
前記連続直流電流および前記パルス電流を生体対象に同時に送達するステップは、周期方形波形、矩形波形、鋸波形、スパイク波形、台形波形、三角波形、またはこれらの組合せを有するパルス電流を発生するステップを含む請求項３８から４５のいずれか一項に記載のイオン泳動法。
【請求項４７】
特に保湿剤もしくは保湿活性剤、アンチエージング活性剤、たとえば、脱色活性剤、皮膚微小循環に作用する活性剤、または皮脂調節活性剤から選択された活性剤を含む、フェイスケアまたはボディケア組成物、
顔または身体をメークアップするための組成物から選択された化粧品組成物を送達するステップをさらに含む請求項３８から４６のいずれか一項に記載のイオン泳動法。
【請求項４８】
０．０１重量％から１００重量％、好ましくは０．５重量％から６０重量％の範囲の量で存在している活性剤を経皮的に送達するステップをさらに含む請求項１から４７のいずれか一項に記載のイオン泳動法。
【発明の詳細な説明】
【技術分野】
【０００１】
本発明は、皮膚を通してビタミンＣを送達するイオン泳動法、ならびに少なくとも１つの電極および水性活性剤を含む電極アセンブリを備えるイオン泳動デバイスに関する。
【発明の概要】
【課題を解決するための手段】
【０００２】
皮膚を通してビタミンＣを送達するイオン泳動法
いくつかの実施形態において、皮膚を通して、ビタミンＣ、たとえば水性ビタミンＣ組成物を送達する方法は、選択された電流プロファイル、連続直流電流、パルス電流のいずれか、または両方の組合せを少なくとも１つの電極を備える任意のデバイスおよび／またはサポートから生体対象に印加するステップであって、連続直流電流、パルス電流、または両方の組合せはビタミンＣ、たとえば、水性組成物を生体対象に経皮的に送達する性質のものであり、送達するのに十分な持続時間にわたるものである、ステップと、選択された電流モードに従って異なる率のビタミンＣを皮膚上に輸送するステップとを含む。
【０００３】
イオン泳動法のいくつかの実施形態において、選択された電流プロファイルを生体対象に印加するステップは、０．００１ｍＡ／ｃｍ２から０．５ｍＡ／ｃｍ２、特に０．０１ｍＡ／ｃｍ２から０．５ｍＡ／ｃｍ２の範囲の平均電流密度を有する連続直流電流刺激を発生するステップを含む。
【０００４】
イオン泳動法のいくつかの実施形態において、選択された電流プロファイルを生体対象に印加するステップは、０．２ｍＡ／ｃｍ２の平均電流密度を有する連続直流電流刺激を発生するステップを含む。
【０００５】
イオン泳動法のいくつかの実施形態において、選択された電流プロファイルを生体対象に印加するステップは、正弦波形、非正弦波形、またはこれらの組合せを有するパルス電流を発生するステップを含む。
【０００６】
イオン泳動法のいくつかの実施形態において、選択された電流プロファイルを生体対象に印加するステップは、周期方形波形、矩形波形、鋸波形、スパイク波形、台形波形、三角波形、またはこれらの組合せを有するパルス電流を発生するステップを含む。
【０００７】
イオン泳動法のいくつかの実施形態において、選択された電流プロファイルを生体対象に印加するステップは、連続直流電流とパルス電流とを同時に送達するステップと、０．００５ｍＡ／ｃｍ２から０．５ｍＡ／ｃｍ２、特に０．０５ｍＡ／ｃｍ２から０．５ｍＡ／ｃｍ２の範囲の平均電流密度と、１００マイクロ秒から５００マイクロ秒、特に２００マイクロ秒から３００マイクロ秒の範囲のパルス持続時間と、１ヘルツから５００ヘルツ、特に１００ヘルツから３００ヘルツの範囲のパルス周波数とを有するパルス電流刺激を発生するステップとを含む。
【０００８】
イオン泳動法のいくつかの実施形態において、この方法は、組成物、たとえば水性組成物を経皮的に送達するステップをさらに含み、この組成物は０．１重量％から２０重量％の範囲の量で存在するビタミンＣ、ビタミンＣ誘導体、ビタミンＣのイオン、およびビタミンＣ誘導体のイオンのうちの１つまたは複数と、０．０１重量％から３０重量％の範囲の量で存在する１つまたは複数のケイ素表面活性剤と、０．０１重量％から１０重量％の範囲の量で存在する１つまたは複数のイオン性ポリマーと、少なくとも３０重量％の量で存在する水とを含む。
【０００９】
イオン泳動法のいくつかの実施形態において、この方法は、
組成物を経皮的に送達するステップをさらに含み、この組成物は
０．０１重量％から１００重量％、好ましくは０．５重量％から６０重量％の範囲の量で存在するビタミンＣ、ビタミンＣ誘導体、ビタミンＣのイオン、およびビタミンＣ誘導体のイオンのうちの１つまたは複数を含む。
【００１０】
イオン泳動法のいくつかの実施形態において、この方法は、
水性組成物を経皮的に送達するステップをさらに含み、この組成物は
０．０１重量％から３０重量％の範囲の量で存在する１つまたは複数のケイ素表面活性剤と、
０．０１重量％から１０重量％の範囲の量で存在する１つまたは複数のイオン性ポリマーと、
少なくとも３０重量％の量で存在する水とを含む。
【００１１】
イオン泳動法のいくつかの実施形態において、この方法は、水性組成物を経皮的に送達するステップをさらに含み、この組成物は０．０１重量％から３０重量％の範囲の量で存在するビタミンＣ、ビタミンＣ誘導体、ビタミンＣのイオン、およびビタミンＣ誘導体のイオンのうちの１つまたは複数と、０．０１重量％から３０重量％の範囲の量で存在する１つまたは複数のケイ素表面活性剤と、０．０１重量％から２０重量％の範囲の量で存在する１つまたは複数の非イオン性ポリマーと、少なくとも３０重量％の量で存在する水とを含む。
【００１２】
イオン泳動法のいくつかの実施形態において、ビタミンＣ、特に水性活性剤組成物を経皮的に送達するステップは、０．０１ｍＡ／ｃｍ２から０．５ｍＡ／ｃｍ２の範囲の平均電流密度を有する連続直流電流刺激を発生するステップと、０．０１ｍＡ／ｃｍ２から１０ｍＡ／ｃｍ２の範囲の平均電流密度と、１０マイクロ秒から５００マイクロ秒の範囲のパルス持続時間と、１０ヘルツから５００ヘルツの範囲のパルス周波数とを有するパルス電流刺激を発生するステップとを含み、連続直流電流およびパルス電流は水性活性剤組成物を生体対象に経皮的に送達するのに十分な持続時間にわたるものである。
【００１３】
イオン泳動法のいくつかの実施形態において、この方法は、皮膚の温度、皮膚のインピーダンス、および組成物のｐＨのうちの少なくとも１つを測定するステップを含む。
【００１４】
イオン泳動法のいくつかの実施形態において、電流プロファイルの印加は、センサのうちの１つによって測定された測定値が安全範囲もしくは安全値を超えたときに安全レベルまで下げられる。
【００１５】
イオン泳動法のいくつかの実施形態において、この方法は、組成物のｐＨを測定するステップを含む。測定されたｐＨがｐＨ安全範囲を超えたときに、電流プロファイルの印加は、安全レベル、たとえば０．５Ｖなどの１Ｖ未満の安全レベルに切り替えられる。ｐＨ安全範囲は、ｐＨ４から７であるものとしてよい。いくつかの実施形態において、測定されたｐＨがｐＨ安全範囲、たとえば４から７の範囲を超えたときに、デバイスは、短時間のうちに極性を切り替えて、ｐＨを再度平衡させることを可能にする。
【００１６】
イオン泳動法のいくつかの実施形態において、この方法は、皮膚のインピーダンスを測定するステップを含む。測定されたインピーダンスがインピーダンス安全範囲を超えたときに、有害事象を回避するために、電流プロファイルの印加は安全レベルまで下げられる。安全レベルは、０．５Ｖなど、１Ｖ未満であってよい。インピーダンス安全範囲は、５０Ωから１ＭΩであるものとしてよい。
【００１７】
イオン泳動法のいくつかの実施形態において、この方法は、皮膚の温度を測定するステップを含む。測定された温度が温度安全値を超えたときに、電流プロファイルの印加は、安全レベル、たとえば０．５Ｖなどの１Ｖ未満に切り替えられる。温度安全値は、４２℃未満となるように選択され得る。
【００１８】
イオン泳動法の好ましい一実施形態において、この方法は、
−  皮膚の温度を測定するステップと、
−  組成物のインピーダンスを測定するステップと、
−  組成物のｐＨを測定するステップとを含む。
【００１９】
次いで、デバイスは、結果を処理し、微少電流および極性を調節するように構成される。
【００２０】
いくつかの実施形態において、イオン泳動組成物は、０．１重量％から３０重量％の範囲の量で存在するビタミンＣ、ビタミンＣ誘導体、ビタミンＣのイオン、およびビタミンＣ誘導体のイオンのうちの１つまたは複数と、０．１重量％から３０重量％の範囲の量で存在する１つまたは複数のケイ素材料と、少なくとも２０重量％の量で存在する水とを含み、イオン泳動組成物はイオン泳動組成物の総重量に対して少なくとも３０重量％である水相を有する。
【００２１】
いくつかの実施形態において、測定されたｐＨがｐＨ安全範囲、たとえば４から７の範囲を超えたときに、デバイスは、短時間のうちに極性を切り替えて、ｐＨを再度平衡させることを可能にする。
【００２２】
イオン泳動組成物のいくつかの実施形態において、組成物は、０．０１重量％から１０重量％の範囲の量で存在する１つまたは複数のイオン性ポリマーをさらに含み、ビタミンＣ、ビタミンＣ誘導体、ビタミンＣのイオン、およびビタミンＣ誘導体のイオンのうちの１つまたは複数は、０．１重量％から３０重量％の範囲の量で存在する。
【００２３】
イオン泳動組成物のいくつかの実施形態において、組成物は、０．０１重量％から２０重量％の範囲の量で存在する１つまたは複数の非イオン性ポリマーをさらに含み、ビタミンＣ、ビタミンＣ誘導体、ビタミンＣのイオン、およびビタミンＣ誘導体のイオンのうちの１つまたは複数は、０．０１重量％から３０重量％の範囲の量で存在する。
【００２４】
イオン泳動組成物のいくつかの実施形態において、組成物は、２から７．５の範囲のｐＨをさらに含む。
【００２５】
いくつかの実施形態において、本発明は、
−  たとえば、上で説明されているように、ビタミンＣ、ビタミンＣ誘導体、ビタミンＣのイオン、およびビタミンＣ誘導体のイオンのうちの１つまたは複数を含むイオン泳動組成物と、
−  上で説明されているようなイオン泳動法を実行するためのイオン泳動デバイスとを備えるイオン泳動キットも実現する。
【００２６】
組成物は、水性組成物であってよい。
【００２７】
イオン泳動キットは、組成物が皮膚に塗布されるときにビタミンＣおよび水が組成物中にすでに混合されているように構成され得る。
【００２８】
いくつかの実施形態において、イオン泳動デバイスは、温度センサ、インピーダンスセンサ、およびｐＨセンサのうちの少なくとも１つを含み得る。イオン泳動デバイスは、温度センサ、インピーダンスセンサ、およびｐＨセンサのうちの少なくとも２つを備え得る。一実施形態において、イオン泳動デバイスは、温度センサ、インピーダンスセンサ、およびｐＨセンサを備え得る。
【００２９】
デバイスは、電流プロファイルの印加が、センサのうちの１つによって測定された測定値が安全範囲もしくは安全値を超えたときに安全レベルまで下げられるように構成され得る。
【００３０】
好ましい一実施形態において、上記の方法は、手および／または顔および／または首および／またはデコルテの斑点、たとえば、染みおよび／または日焼けによる染みおよび／またはそばかすおよび／または病気による染みを減らすことを可能にする。次いで、上記の方法は、皮膚、特に色素沈着が最初に高すぎる場所の脱色を可能にする。本発明の方法を数回使用するか、または１回使用した後に、皮膚の色はより均一になり、均質性が高められる。
【００３１】
別の実施形態において、方法は、皺および老化の兆候を治療し、皮膚の滑らかさ、質、および皮膚の外観を改善するために使用される。
【００３２】
別の実施形態において、方法は、皮膚アンチエージング、および／または色素沈着、および／または体積、および／またはたるみ皺、および／またはイベントトーン（ｅｖｅｎｔ  ｔｏｎｅ）、および／または染みを最小にし、および／または皮膚の張り、および／または輝き、および／または滑らかさ、および／または柔らかさを改善するために使用される。本発明の方法は、微小電流（μｃｕｒｒｅｎｔ）に関連する活性剤の塗布に関連付けられ得る。
【００３３】
少なくとも１つの電極および水性活性剤を含む電極アセンブリを備えるイオン泳動デバイス
いくつかの実施形態において、イオン泳動デバイスは、少なくとも１つの電極と活性剤、特にビタミンＣ、たとえば、水性活性剤組成物とを含む電極アセンブリと、電極アセンブリに動作可能に結合され、少なくとも連続直流電流刺激およびパルス電流刺激を同じ電極に対して同時に発生させるように構成され、連続直流電流刺激およびパルス電流刺激は活性剤、特にビタミンＣ、たとえば活性剤組成物を生体対象に送達する性質のものであり、送達するのに十分な持続時間にわたるものである、回路とを備える。
【００３４】
イオン泳動デバイスのいくつかの実施形態において、連続直流電流刺激は０．００１ｍＡ／ｃｍ２から０．５ｍＡ／ｃｍ２、特に０．０１ｍＡ／ｃｍ２から０．５ｍＡ／ｃｍ２の範囲の平均電流密度を備える。
【００３５】
イオン泳動デバイスのいくつかの実施形態において、連続直流電流刺激は０．２ｍＡ／ｃｍ２の平均電流密度を備える。
【００３６】
イオン泳動デバイスのいくつかの実施形態において、パルス電流刺激は、０．００５ｍＡ／ｃｍ２から０．５ｍＡ／ｃｍ２、特に０．０５ｍＡ／ｃｍ２から０．５ｍＡ／ｃｍ２の範囲の平均電流密度と、１００マイクロ秒から５００マイクロ秒、特に２００マイクロ秒から３００マイクロ秒の範囲のパルス持続時間と、５ヘルツから５００ヘルツ、特に１００ヘルツから３００ヘルツの範囲のパルス周波数とを有し得る。
【００３７】
イオン泳動デバイスのいくつかの実施形態において、パルス電流刺激は、０．０１ｍＡ／ｃｍ２から１０ｍＡ／ｃｍ２の範囲の平均電流密度と、５０マイクロ秒から１ミリ秒の範囲のパルス幅と、１０ヘルツから５００ヘルツの範囲のパルス周波数と、１％から９０％の範囲のパルスのデューティサイクルとを備える。
【００３８】
イオン泳動デバイスのいくつかの実施形態において、パルス電流刺激は、０．０１ｍＡ／ｃｍ２から１０ｍＡ／ｃｍ２の範囲の平均電流密度と、５０マイクロ秒から１ミリ秒の範囲のパルス幅と、２から２０パルスの範囲の少なくとも１つの波束（または波列）と、１０ヘルツから５００ヘルツの範囲の波束の周波数と、１％から９０％の範囲のパルスのデューティサイクルとを備える。
【００３９】
イオン泳動デバイスのいくつかの実施形態において、パルス電流刺激は、０．０１ｍＡ／ｃｍ２から１０ｍＡ／ｃｍ２の範囲の平均電流密度と、５０マイクロ秒から１ミリ秒の範囲のパルス幅と、極性が交互に変わる２から２０パルスの範囲の少なくとも１つの波束（または波列）と、１０ヘルツから５００ヘルツの範囲の波束の周波数と、１％から９０％の範囲のパルスのデューティサイクルとを備える。
【００４０】
イオン泳動デバイスのいくつかの実施形態において、パルス電流刺激は０．２ｍＡ／ｃｍ２の平均電流密度と、５００マイクロ秒の交流パルス持続時間と、２００ヘルツのパルス周波数とを備える。
【００４１】
イオン泳動デバイスのいくつかの実施形態において、電極アセンブリは、活性剤、特に活性剤組成物、たとえば、水性活性剤組成物を保持する少なくとも１つの貯槽を備える。
【００４２】
イオン泳動デバイスのいくつかの実施形態において、電極アセンブリは、化粧品組成物、特に活性組成物、たとえば、活性水性組成物を保持する貯槽に電気的に結合されている少なくとも１つの活性電極を備え、電極アセンブリは連続直流電流刺激およびパルス電流刺激を同時に発生するように構成されている回路からの１つまたは複数の入力に応答して活性剤組成物を生体対象に経皮的に送達するように動作可能である。
【００４３】
イオン泳動デバイスのいくつかの実施形態において、電極アセンブリは、少なくとも１つの電源に電気的に結合される。
【００４４】
イオン泳動デバイスのいくつかの実施形態において、電極アセンブリは、少なくとも１つの活性電極アセンブリと少なくとも１つの対向電極アセンブリとを備える。
【００４５】
イオン泳動デバイスのいくつかの実施形態において、電極アセンブリは、特に保湿剤または保湿活性剤、アンチエージング活性剤、たとえば、脱色活性剤、皮膚微小循環に作用する活性剤、または皮脂調節活性剤（ｓｅｂｏｒｅｇｕｌａｔｉｎｇ  ａｃｔｉｖｅ  ａｇｅｎｔ）から選択された活性剤を含む、フェイスケアもしくはボディケア組成物、または顔または身体のメークアップ用の組成物、またはヘア組成物、特に髪を洗うため、ヘアケアもしくはコンディショニングのため、髪の形を一時的に保持するかもしくは整えるため、髪を一時的に、半永久的に、もしくは永久的に染めるため、または髪のウェーブを真っ直ぐにするかもしくは永久的なウェーブにするための組成物、特に、毛根および髪の縮れを真っ直ぐにする、染める、もしくは漂白するための組成物、または頭皮用の組成物、特に、ふけ防止組成物、髪の喪失を予防するもしくは髪の再成長を促進するための組成物、抗脂漏性組成物、抗炎症性組成物、抗刺激もしくは鎮静組成物、マーク防止組成物、または頭皮を刺激もしくは保護するための組成物を含む化粧品組成物を保持する少なくとも１つの貯槽を具備する。
【００４６】
組成物は、水性組成物であってよい。
【００４７】
イオン泳動デバイスは、組成物が皮膚に塗布されるときに活性剤および水が組成物中にすでに混合されているように構成され得る。
【００４８】
イオン泳動デバイスは、イオン泳動デバイスが使用されるときのみ活性剤および水が混合されるように構成され得る。
【００４９】
いくつかの実施形態において、イオン泳動デバイスは、温度センサ、インピーダンスセンサ、およびｐＨセンサのうちの少なくとも１つを備え得る。イオン泳動デバイスは、温度センサ、インピーダンスセンサ、およびｐＨセンサのうちの少なくとも２つを備え得る。一実施形態において、イオン泳動デバイスは、温度センサ、インピーダンスセンサ、およびｐＨセンサを備え得る。
【００５０】
デバイスは、電流プロファイルの印加が、センサのうちの１つによって測定された測定値が安全範囲もしくは安全値を超えたときに安全レベルまで下げられるように構成され得る。
【００５１】
好ましい一実施形態において、上記の方法は、手および／または顔および／または首および／またはデコルテの斑点、たとえば、染みおよび／または日焼けによる染みおよび／またはそばかすおよび／または病気による染みを減らすことを可能にする。次いで、上記の方法は、皮膚、特に色素沈着が最初に高すぎる場所の脱色を可能にする。本発明の方法を数回使用するか、または１回使用した後に、皮膚の色はより均一になり、均質性が高められる。
【００５２】
別の実施形態において、方法は、皺および老化の兆候を治療し、皮膚の滑らかさ、質、および皮膚の外観を改善するために使用される。
【００５３】
別の実施形態において、方法は、皮膚アンチエージング、および／または色素沈着、および／または体積、および／またはたるみ皺、および／またはイベントトーン、および／または染みを最小にし、および／または皮膚の張り、および／または輝き、および／または滑らかさ、および／または柔らかさを改善するために使用される。本発明の方法は、微小電流（μｃｕｒｒｅｎｔ）に関連する活性剤の塗布に関連付けられ得る。
【００５４】
一実施形態において、活性剤はビタミンＣである。
【００５５】
いくつかの実施形態において、イオン泳動法は、連続直流電流とパルス電流とを生体対象に同時に送達するステップであって、連続直流電流およびパルス電流は化粧品組成物を生体対象に送達する性質のものであり、送達するのに十分な持続時間にわたるものである、ステップを含む。
【００５６】
イオン泳動法のいくつかの実施形態において、連続直流電流およびパルス電流を生体対象に同時に送達するステップは、０．０１ｍＡ／ｃｍ２から０．５ｍＡ／ｃｍ２の範囲の平均電流密度を有する連続直流電流刺激を発生するステップを含む。
【００５７】
イオン泳動法のいくつかの実施形態において、連続直流電流およびパルス電流を生体対象に同時に送達するステップは、０．２ｍＡ／ｃｍ２の平均電流密度を有する連続直流電流刺激を発生するステップを含む。
【００５８】
イオン泳動法のいくつかの実施形態において、連続直流電流およびパルス電流を生体対象に同時に送達するステップは、０．０１ｍＡ／ｃｍ２から１０ｍＡ／ｃｍ２の範囲の平均電流密度と、５０マイクロ秒から１ミリ秒の範囲のパルス持続時間と、１０ヘルツから５００ヘルツの範囲のパルス周波数と、１％から９０％の範囲のパルスのデューティサイクルとを有するパルス電流刺激を発生するステップを含む。
【００５９】
イオン泳動法のいくつかの実施形態において、連続直流電流およびパルス電流を生体対象に同時に送達するステップは、０．２ｍＡ／ｃｍ２の平均電流密度と、５００マイクロ秒のパルス持続時間と、２００ヘルツのパルス周波数とを有するパルス交流電流刺激を発生するステップを含む。
【００６０】
イオン泳動法のいくつかの実施形態において、パルス電流は、０．０１ｍＡ／ｃｍ２から１０ｍＡ／ｃｍ２の範囲の平均電流密度と、５０マイクロ秒から１ミリ秒の範囲のパルス幅と、２から２０パルスの範囲の少なくとも１つの波束（または波列）と、１０ヘルツから５００ヘルツの範囲の波束の周波数と、１％から９０％の範囲のパルスのデューティサイクルとを備える。
【００６１】
イオン泳動法のいくつかの実施形態において、パルス電流は、０．０１ｍＡ／ｃｍ２から１０ｍＡ／ｃｍ２の範囲の平均電流密度と、５０マイクロ秒から１ミリ秒の範囲のパルス幅と、極性が交互に変わる２から２０パルスの範囲の少なくとも１つの波束（または波列）と、１０ヘルツから５００ヘルツの範囲の波束の周波数と、１％から９０％の範囲のパルスのデューティサイクルとを備える。
【００６２】
イオン泳動法のいくつかの実施形態において、連続直流電流およびパルス電流を生体対象に同時に送達するステップは、正弦波形、非正弦波形、またはこれらの組合せを有するパルス電流を発生するステップを含む。
【００６３】
イオン泳動法のいくつかの実施形態において、連続直流電流およびパルス電流を生体対象に同時に送達するステップは、周期方形波形、矩形波形、鋸波形、スパイク波形、台形波形、三角波形、またはこれらの組合せを有するパルス電流を発生するステップを含む。
【００６４】
イオン泳動法のいくつかの実施形態において、この方法は、特に保湿剤もしくは保湿活性剤、アンチエージング活性剤、たとえば、脱色活性剤、皮膚微小循環に作用する活性剤、または皮脂調節活性剤から選択された活性剤を含む、フェイスケアまたはボディケア組成物、または顔もしくは身体をメークアップするための組成物から選択された化粧品組成物を送達するステップをさらに含む。
【００６５】
イオン泳動法のいくつかの実施形態において、この方法は、
０．０１重量％から１００重量％、好ましくは０．５重量％から６０重量％の範囲の量で存在している活性剤を経皮的に送達するステップをさらに含む。
【００６６】
イオン泳動法のいくつかの実施形態において、この方法は、皮膚の温度、皮膚のインピーダンス、および組成物のｐＨのうちの少なくとも１つを測定するステップを含む。
【００６７】
イオン泳動法のいくつかの実施形態において、電流プロファイルの印加は、センサのうちの１つによって測定された測定値が安全範囲もしくは安全値を超えたときに安全レベルまで下げられる。
【００６８】
イオン泳動法のいくつかの実施形態において、方法は、組成物のｐＨを測定するステップを含む。測定されたｐＨがｐＨ安全範囲を超えたときに、電流プロファイルの印加は、安全レベル、たとえば０．５Ｖなどの１Ｖ未満の安全レベルに切り替えられる。ｐＨ安全範囲は、ｐＨ４から７であるものとしてよい。いくつかの実施形態において、測定されたｐＨがｐＨ安全範囲、たとえば４から７の範囲を超えたときに、デバイスは、短時間のうちに極性を切り替えて、ｐＨを再度平衡させることを可能にする。
【００６９】
イオン泳動法のいくつかの実施形態において、方法は、皮膚のインピーダンスを測定するステップを含む。測定されたインピーダンスがインピーダンス安全範囲を超えたときに、有害事象を回避するために、電流プロファイルの印加は安全レベルまで下げられる。安全レベルは、０．５Ｖなど、１Ｖ未満であってよい。インピーダンス安全範囲は、５０Ωから１ＭΩであるものとしてよい。
【００７０】
イオン泳動法のいくつかの実施形態において、方法は、皮膚の温度を測定するステップを含む。測定された温度が温度安全値を超えたときに、電流プロファイルの印加は、安全レベル、たとえば０．５Ｖなどの１Ｖ未満に切り替えられる。温度安全値は、４２℃未満となるように選択され得る。
【００７１】
イオン泳動法の好ましい一実施形態において、方法は、
−  皮膚の温度を測定するステップと、
−  組成物のインピーダンスを測定するステップと、
−  組成物のｐＨを測定するステップとを含む。
【００７２】
次いで、デバイスは、結果を処理し、微少電流および極性を調節するように構成される。
【００７３】
本開示の主題の前述の態様および付随する利点の多くは、添付図面と併せて読まれたときに、それが以下の詳細な説明を参照することによって容易に理解されることになるとともにより容易に理解されるであろう。
【図面の簡単な説明】
【００７４】
【図１】イオン泳動デバイスの概略図である。
【図２】一実施形態による電気波形刺激のプロットである。
【図３】一実施形態による電気波形刺激のプロットである。
【図４】一実施形態による電気波形刺激のプロットである。
【図５】ビタミンＣの投与のための異なる電気波形刺激の効力を比較するグラフである。
【図６】一実施形態による方法の流れ図である。
【図７】一実施形態による方法の流れ図である。
【発明を実施するための形態】
【００７５】
ビタミンＣおよびその様々な形態（たとえば、アスコルビン酸、アスコルビン酸塩、Ｌ−アスコルビン酸、アスコルベート、２−オキソ−Ｌ−トレオ−ヘキソノ−１，４−ラクトン−２，３−エネジオール、（Ｒ）−３，４−ジヒドロキシ−５−（（Ｓ）−１，２−ジヒドロキシエチル）フラン−２（５Ｈ）−オン、酸化型アスコルビン酸、アスコルビン酸デヒドロアスコルビン酸のアニオン、および同様のもの）は、１つまたは複数の有益な用途を有するものとしてよい。たとえば、ビタミンＣは、人間の酸化的ストレスに対する抗酸化物質として働き得る。ビタミンＣは、また、還元剤およびフリーラジカル捕捉剤の両方として働き得る。しかしながら、問題の１つは、ビタミンＣが非水性媒質中に非常に低い可溶性を有することである。それに加えて、溶解した場合、ビタミンＣは、容易に酸化され、したがって機能を喪失する。したがって、いくつかの実施形態は、活性剤組成物、たとえば、ビタミンＣなどの、水性活性剤組成物を生体対象に経皮的に送達するための技術および方法に向けられている。
【００７６】
イオン泳動は、荷電分子を皮膚内に輸送することを目的として電流を流すプロセスである。技術は、注目する分子と同様に帯電した電極を使用して荷電分子を電極から遠ざけて皮膚内に送り込む反発作用を発生させることによって少ない電流を荷電分子に印加するステップを伴う。いくつかの実施形態において、単純なイオン化（エレクトロマイグレーション）の効果は、イオン泳動が輸送特性を発生する主要機構である。しかしながら、電気浸透と呼ばれる追加の機構および電流によって発生するエレクトロポレーションがある。電気浸透は、陽極から陰極への方向に非荷電性分子を運ぶ溶媒の流れを誘発する。いくつかの実施形態において、「イオン泳動」は、分子の輸送がエレクトロマイグレーションまたは電気浸透またはエレクトロポレーションを介するものかどうかに関係なく分子を皮膚内に送達するために電流を使用する技術である。
【００７７】
スキンケア組成物内の多くの活性分子は、イオン形態をとるので、イオン泳動は、これらの活性分子の投与のための有効な手段となり得る。ビタミンＣは、また、Ｌ−アスコルビン酸、または組織（国際純正応用化学連合）名によれば、２−オキソ−Ｌ−トレオ−ヘキソノ−１，４−ラクトン−２，３−エネジオールまたは（Ｒ）−３，４−ジヒドロキシ−５−（（Ｓ）−１，２−ジヒドロキシエチル）フラン−２（５Ｈ）−オンと称される。ビタミンＣは、生理学的ｐＨにおいて負に帯電した分子であり、したがって、発明者は、ビタミンＣがイオン泳動を介して投与するための良好な候補となることを認識している。したがって、ビタミンＣを皮膚内に投与するための電気波形刺激を使用する方法が開示される。いくつかの実施形態において、ビタミンＣの投与は、生きた人間に対して実施される。いくつかの実施形態において、ビタミンＣの投与は、生体対象に対して実施される。いくつかの実施形態において、生体対象は、限定はしないが、人間を含む哺乳類を含む。
【００７８】
ビタミンＣの局所的塗布の効力は、非水性媒体中では溶解性が非常に低いので弱く、溶解した場合には、ビタミンＣは、容易に酸化され、したがって機能を喪失する。いくつかの実施形態において、化粧品では、ビタミンＣは、分子を安定させるためのポリマーを含む組成物中で使用される。そのような物質の存在は、通常、製剤特性に積極的な役割を果たすが、それらは、ビタミンＣを皮膚内に効率的に送達することも制限し得る。したがって、電流、好ましくはイオン泳動によるビタミンＣ、好ましくはアスコルビン酸形態のビタミンＣの皮膚内への浸透を増大させるように配合された組成物も開示されている。皮膚浸透プロファイルの分析は、パルス電流と結合されたガルバニ電流（直流（ＤＣ）とも称される）が活性剤の局所輸送を著しく改善したことを示唆している。いくつかの実施形態において、そのような活性剤は、分子の浸透が「イオン泳動」によって効率よく高められる促進吸収相を主に含むアスコルビン酸形態のビタミンＣを含む。皮膚浸透率は、ビタミンＣの物理化学的特性に加えて、主に処方成分の影響により適用される処方タイプに関して増大する。
【００７９】
図１を参照すると、イオン泳動デバイスおよび電極アセンブリは、概略図として示されている。いくつかの実施形態において、イオン泳動デバイスおよび電極アセンブリは、電源１０２と、電流波形発生器１０４と、第１の（活性）電極１１４と、第２の（対向または対）電極１１６と、プランジャ１１２と、第１の電極１１４の端部のところの貯槽１２０とを備える。イオン泳動デバイスは、追加の特徴またはより少ない特徴とともに利用可能であることは理解されるであろう。したがって、他のデバイスは、図示されていない他の多くのコンポーネントを含むか、または図示されているコンポーネントのうちのいくつかを除外し得る。図１の目的は、ビタミンＣ組成物または本明細書で開示されている他の活性剤組成物を使用するための方法の様々な実施形態のうちの１つまたは複数を実行するために使用されるイオン泳動デバイスの主要機能コンポーネントのうちのいくつかを図示し、説明することである。図１では、イオン泳動デバイスの機能を実行するために使用される回路が暗示され、また固有のものであることは理解されるであろう。いくつかの実施形態において、イオン泳動デバイスは、治療時に片手で運ぶのに適しているハンドヘルドデバイスとしてパッケージされる。ハンドヘルドデバイスを使用する治療は、活性電極１１４が皮膚の表面上を接触しながら移動されるように皮膚の上でイオン泳動デバイスを常時移動させるステップを含む。いくつかの実施形態において、イオン泳動デバイスは、固定されたデスクトップデバイスとしてパッケージされ、活性電極１１４は固定され、接着剤などを用いて、皮膚の単一の場所に貼り付けられる。次に、イオン泳動デバイスの主要機能コンポーネントが説明される。
【００８０】
いくつかの実施形態において、イオン泳動デバイスは、電源１０２を備える。好適な電源は、様々な他の回路およびデバイスに給電するための電流を発生させることができる電源である。いくつかの実施形態において、電池は、電源として使用される。それに加えて、いくつかの実施形態において、トランスに結合されている交流電源は、電源１０２に接続され得る。いくつかの実施形態において、イオン泳動デバイスは、壁コンセントに差し込まれる。いくつかの実施形態において、電源１０２は、連続直流電流を発生する。いくつかの実施形態において、回路は、連続直流電流以外の電気波形を発生させるために使用される。電源１０２は、負極と正極とを有する。一般的に、第１の電極１１４に負の極性が印加される。しかしながら、スイッチなどの回路および電気デバイスを通じて、第１の電極１１４および第２の電極１１６の極性は、瞬間的に反転させることができ、パルスおよび交流波形をもたらし得る。
【００８１】
いくつかの実施形態において、電源１０２は、電流波形発生器１０４に接続される。電流波形発生器１０４は、様々なタイプの電流波形を発生するように機能する。いくつかの実施形態において、電流波形発生器１０４は、本明細書で説明されている、回路などのハードウェアおよびソフトウェアを通じて波形を発生する。いくつかの実施形態において、波形発生器１０４は、電極アセンブリに動作可能に結合された回路を備え、回路は、少なくとも連続直流電流刺激およびパルス電流刺激を同じ電極に対して同時に発生させるように構成され、連続直流電流刺激およびパルス電流刺激は化粧品組成物を生体対象に送達する性質のものであり、送達するのに十分な持続時間にわたるものである。電流発生器１０４は、第１の電極１１４および第２の電極１１６に接続され、電極上に電位をかけて、本明細書で説明されている様々な波形の電流刺激を供給することができる。終わりに向けて、電流波形発生器１０４は、パルス発生器１０６および極性発生器１０８を備える。いくつかの実施形態において、機能的に、パルス発生器１０６は、制御された振幅および持続時間の電流のパルスを発生する。いくつかの実施形態において、機能的に、極性発生器１０８は、第１の電極１１４および第２の電極１１６のところで極性を制御する。いくつかの実施形態において、極性発生器１０８は、第１の電極１１４および第２の電極１１６の極性を一定に維持する。いくつかの実施形態において、極性発生器１０８は、第１の電極１１４および第２の電極１１６にゼロの極性を印加する。いくつかの実施形態において、極性発生器１０８は、事前定義済みの率および持続時間のパルスで第１の電極１１４および第２の電極１１６に極性を印加する。いくつかの実施形態において、極性発生器１０８は、事前定義済みの率または間隔で第１の電極１１４および第２の電極１１６の極性を反転する。いくつかの実施形態において、極性発生器１０８は、事前定義済みの持続時間の間、順次、または任意の順序で、一定の極性、パルス、または逆極性を印加するように構成される。
【００８２】
いくつかの実施形態において、イオン泳動デバイスは、コントローラ１２２を備える。いくつかの実施形態において、機能的に、コントローラ１２２は、ユーザインターフェース１２４から入力を受信し、パルス発生器１０６および極性発生器１０８と連動して、ユーザ／操作者によって入力された指定で電流密度波形を制御する。いくつかの実施形態において、コントローラ１２２、パルス発生器１０６、および極性発生器１０８は、アナログ回路、デジタル回路、マイクロプロセッサ、もしくはそれらの組合せなどのハードウェアコンポーネント、またはソフトウェアコンポーネントで実装される。
【００８３】
いくつかの実施形態において、コントローラ１２２は、印加されるべき波形刺激に応じて様々なパラメータを入力するようにユーザをガイドするための命令を有する。ユーザインターフェース１２４は、情報を入力することをユーザに求めることができる。いくつかの実施形態において、コントローラ１２２は、電流密度刺激出力波形に対して定数（ＤＣ）値、パルス波、または定数値とパルス波の両方から刺激出力を選択することをユーザに要求する。コントローラ１２２が１つまたは複数の刺激波タイプの入力を受信した後、コントローラ１２２は、ユーザインターフェース１２４上で、１つまたは複数の選択された波出力タイプに対応するパラメータの入力をユーザに求める。
【００８４】
いくつかの実施形態において、イオン泳動デバイスは、ユーザインターフェース１２４を備える。いくつかの実施形態において、機能的に、ユーザインターフェース１２４は、電気刺激として印加されるべき波形タイプに関係するデータの入力のためのものである。いくつかの実施形態において、ユーザインターフェース１２４は、英数字キーボードおよびディスプレイを含む。いくつかの実施形態において、ユーザインターフェース１２４は、方向矢印ボタンおよびデータをメモリに入力するためのエンターボタンを備える。いくつかの実施形態では、英数字キーボードは、タッチスクリーンディスプレイとして実装される。いくつかの実施形態において、波パラメータの入力は、テキストボックスを使用して行われる。いくつかの実施形態において、波パラメータの入力は、スクロールメニューを使用して行われる。
【００８５】
データ入力の方式に関係なく、いくつかの実施形態において、ユーザインターフェース１２４は、ユーザが情報を入力するための様々なプロンプトを伝達する。いくつかの実施形態において、ユーザインターフェース１２４は、治療ステップの持続時間を入力することをユーザに求める。いくつかの実施形態において、治療ステップの持続時間は、１つまたは複数の波タイプの電流の印加の時間の合計であり、パルス波に対して電流がオフになっているときの時間を含む。たとえば、デューティサイクルが５０％で設定されるパルス波は、時間の５０％においてオフである電流を有する、すなわち、各パルスは各パルス周期の１／２である。しかしながら、治療持続時間は、パルス周期のオフ期間を含む。
【００８６】
いくつかの実施形態において、ユーザインターフェース１２４は、電流密度出力が連続直流電流であるか、パルス電流であるか、交流パルス電流であるか、または任意の組合せであるか、および各波タイプの持続時間をユーザが入力することを可能にするオプションを備える。いくつかの実施形態において、ユーザインターフェース１２４は、異なる波タイプが互いに重ね合わされるかどうかを入力することをユーザに求める。たとえば、パルス波は、連続直流電流波上に重ね合わされ得る。いくつかの実施形態において、ユーザインターフェース１２４は、異なる波タイプが順に組み合わされるかどうかを入力することをユーザに求める。いくつかの実施形態において、ユーザインターフェース１２４は、各波タイプについて出力する電流密度値を入力することをユーザに求める。いくつかの実施形態において、電流密度は、平均電流密度、二乗平均平方根電流密度、またはピーク電流密度として入力される。いくつかの実施形態において、ユーザインターフェース１２４は、対応する一定またはパルス電流出力とともに、交流に対して正、負、またはその両方を含む、第１の電極１１４のところの極性を入力することをユーザに求める。いくつかの実施形態において、ユーザインターフェース１２４は、電極の断面積を入力することをユーザに求める。いくつかの実施形態において、ユーザインターフェース１２４は、皮膚温度を入力することをユーザに求める。いくつかの実施形態において、ユーザインターフェース１２４は、パルスの周波数と、パルスの最大および最小振幅と、パルスの持続時間とを入力することをユーザに求める。いくつかの実施形態において、ユーザインターフェース１２４は、一方向パルスの％デューティサイクルを入力することをユーザに求める。いくつかの実施形態において、ユーザインターフェース１２４は、それぞれの両極性パルスの％デューティサイクルを入力することをユーザに求める。いくつかの実施形態において、ユーザインターフェース１２４は、パルスとパルスとの間の時間を指定することをユーザに求める。いくつかの実施形態において、ユーザインターフェース１２４は、波束（波列）の持続時間と波束の周波数とを指定することをユーザに求める。いくつかの実施形態において、ユーザインターフェース１２４は、波束（波列）内のパルスの数を指定することをユーザに求める。いくつかの実施形態において、ユーザインターフェース１２４は、周期的方形波形、矩形波形、鋸波形、スパイク波形、台形波形、または三角形波形を含む、パルス波形状を入力することをユーザに求める。いくつかの実施形態において、ユーザインターフェース１２４は、治療面積を入力することをユーザに求める。いくつかの実施形態において、ユーザインターフェース１２４は、交流の負パルスと正パルスとを印加するかどうかを指定することをユーザに求める。いくつかの実施形態において、ユーザインターフェース１２４は、パルスが単極性または両極性であるかを指定することをユーザに求める。
【００８７】
単極性パルスは、パルス電流が一方向に伝わることを意味する。両極性パルスは、パルス電流が二方向または逆方向に伝わることを意味する。いくつかの実施形態において、ユーザインターフェース１２４は、負パルス対正パルスの比または正パルス対負パルスの比を指定することをユーザに求める。いくつかの実施形態において、ユーザインターフェース１２４は、連続直流電流波形をパルス波形と組み合わせて２つまたはそれ以上の異なる波形を同時に供給するかどうかを入力することをユーザに求める。いくつかの実施形態において、ユーザインターフェース１２４は、２つまたはそれ以上の波形を同時に、同期して、順次、または交互に印加することをユーザに求める。いくつかの実施形態において、ユーザインターフェース１２４は、波形が交流である場合に各波形の持続時間と各波形の周期時間とを入力することをユーザに求める。いくつかの実施形態において、ユーザインターフェース１２４は、パルス間隔持続時間を入力することをユーザに求める。
【００８８】
いくつかの実施形態において、１回の治療の際に２つまたはそれ以上の波形を使用するときに、ユーザインターフェース１２４は、異なる波形の治療持続時間および各波形が何回循環するかを指定することをユーザに求める。いくつかの実施形態において、連続直流電流がパルス波と同時に使用されるときに、ユーザインターフェース１２４は、パルス波のパラメータを指定することをユーザに求める。
【００８９】
いくつかの実施形態において、コントローラ１２２は論理ルーチンを実行し、波形タイプ情報が入力されるように適切なプロンプトをユーザに表示することをユーザインターフェース１２４に指令する。次いで、コントローラ１２２は、波タイプパラメータを使用して、ユーザ入力パラメータに従って、限定はしないが、パルス発生器１０６および極性発生器１０８を含む、回路を介して、適切な刺激波を発生する。
【００９０】
いくつかの実施形態において、活性電極とも称される、第１の電極１１４は波形発生器１０４を通じて電源１０２に接続される。第１の電極１１４は、その端部に貯槽１０２を備え、ビタミンＣ組成物または活性剤組成物を保持する。いくつかの実施形態において、貯槽１２０は、第１の電極１１４の端部にある中空の凹みであり、この貯槽は、ゲルまたはゲル状のビタミンＣ組成物を収容するために使用される。代替的に、いくつかの実施形態において、貯槽１２０は、ビタミンＣ組成物を収容するための吸収材料である。いくつかの実施形態において、一般的に、第１の電極１１４の設計では、負の極性を有する第１の電極１１４を企図している。イオン泳動デバイスがハンドヘルドデバイスとしてパッケージされるときに、第１の電極１１４は、プランジャ１１２によって供給されるボールアンドソケットなどのロールオン式アプリケータの一種を備える。
【００９１】
皮膚１１８は、システム上の負荷を表す。
【００９２】
いくつかの実施形態において、対向または対電極とも称される、第２の電極１１６は波形発生器１０４を通じて電源１０２に接続される。第２の電極１１６の極性は、第１の電極１１４の極性と反対になるように波形発生器１０４によって維持される。いくつかの実施形態において、一般的に、第２の電極１１６の設計では、正の極性を有する第２の電極１１６を企図している。いくつかの実施形態において、第２の電極１１６は、治療を受ける人によって握られるハンドヘルド電極である。他の実施形態において、第２の電極１１６は、第２の電極がデバイスのユーザによって握られ、治療を受ける人の皮膚にユーザによって貼り付けられるように絶縁カバーおよび露出先端部を有する。
【００９３】
いくつかの実施形態において、第１の電極１１４の上の貯槽１２０はプランジャ１１２に接続される。いくつかの実施形態において、機能的に、プランジャ１１２は、ビタミンＣ組成物または活性剤組成物を貯槽１２０内に補充する。いくつかの実施形態において、プランジャ１１２は、円筒形容器内にピストンとプッシュロッドとを備える。いくつかの実施形態において、プランジャ１１２は、イオン泳動デバイスのユーザによる治療の際に作動されるトリガー機構によって作動され得る。
【００９４】
いくつかの実施形態において、イオン泳動デバイスは、活性（供与体）および対（対向）電極アセンブリと、皮膚接触層と、活性剤層とを備える。いくつかの実施形態において、イオン泳動デバイスは、マルチラミネート構造を有する活性および対電極アセンブリを備える。いくつかの実施形態において、イオン泳動デバイスは、受動拡散またはイオン泳動を通じて活性剤組成物を送達するように構成されているマルチラミネート構造を備える電極アセンブリを具備する。
【００９５】
いくつかの実施形態において、イオン泳動デバイスは、ポリマーマトリックスの複数の層によって各々形成される、活性および対電極アセンブリを備える。いくつかの実施形態において、イオン泳動デバイスは、導電性樹脂フィルム電極層、親水性ゲル貯槽層、アルミニウムまたは銀箔導体層、および絶縁バッキング層を有する電極アセンブリを備える。
【００９６】
いくつかの実施形態において、イオン泳動デバイスは、イオン泳動パッチ設計を備える。いくつかの実施形態において、イオン泳動デバイスは、イオン泳動マルチラミネート設計を備える。いくつかの実施形態において、イオン泳動デバイスは、イオン泳動フェイスマスク設計を備える。いくつかの実施形態において、イオン泳動デバイスは、イオン泳動可撓性基材設計を備える。
【００９７】
いくつかの実施形態において、電極アセンブリは、少なくとも１つの電極と、空洞、ゲル、ラミネート、膜、多孔質構造、マトリックス、基材、または同様のものなどの貯槽内に薬剤が貯蔵される１つまたは複数の組成物とを備える。活性剤の非限定的な例は、電気浸透流を介して送達することができる電気的に中性な薬剤、分子、または化合物を含む。いくつかの実施形態において、中性の薬剤は、電気泳動の際のたとえば溶媒の流れによって運ばれる。いくつかの実施形態において、イオン泳動デバイスは、電極と、有効量のビタミンＣ組成物または薬剤組成物を収容する貯槽とを備える。
【００９８】
いくつかの実施形態において、貯槽は、要素、組成物、化合物、活性剤、医薬品組成物、および同様のものを液体状態、固体状態、気体状態、混合状態、または遷移状態で保持するために使用される形態または物質を含む。いくつかの実施形態において、貯槽は、少なくとも一時的に要素、組成物、化合物、活性剤、医薬品組成物、電解質溶液、および同様のものを保持することができる１つまたは複数のイオン交換膜、半透膜、多孔質膜、またはゲルを含む。
【００９９】
いくつかの実施形態において、貯槽は、構造物によって形成される１つまたは複数の空洞を備える。いくつかの実施形態において、貯槽は、要素、組成物、化合物、活性剤、医薬品組成物、電解質溶液、および同様のものを、動電力または電流による生体界面内へのそのようなものの放出の前に保持する働きをする。いくつかの実施形態において、電極アセンブリは、活性剤貯槽と生体界面との間で極性選択性障壁として働くように位置決めされ得る１つまたは複数のイオン交換膜を備える。
【０１００】
いくつかの実施形態において、電極アセンブリは、電極と、有効量のビタミンＣ組成物または活性剤組成物、たとえば、水性活性剤組成物を収容する貯槽とを備える。
【０１０１】
いくつかの実施形態において、イオン泳動デバイスは、活性電極アセンブリに結合されている回路を備え、回路は、パルスまたは連続からの少なくとも電流刺激を同時に発生させるように構成される。いくつかの実施形態において、回路は、イオン泳動デバイスと、図１に例示されている電流波形発生器１０４内に備えられている。いくつかの実施形態において、回路は、活性および対向電極上に電位をかけ、回路は、選択された波形、振幅、持続時間、極性の電流刺激を発生する。いくつかの実施形態において、回路は、活性剤を生体対象に送達するために活性剤の電気的反発力を引き起こす。
【０１０２】
いくつかの実施形態において、回路は、他にもあるがとりわけ、プロセッサ（たとえば、マイクロプロセッサ、量子プロセッサ、ｑｕｂｉｔプロセッサ、など）、中央演算処理装置（ＣＰＵ）、デジタルシグナルプロセッサ（ＤＳＰ）、特定用途向け集積回路（ＡＳＩＣ）、フィールドプログラマブルゲートアレイ（ＦＰＧＡ）、もしくは同様のもの、またはそれらの組合せなどの１つまたは複数のコンピューティングデバイスを含み、ディスクリートデジタルもしくはアナログ回路素子もしくは電子回路、またはそれらの組合せを含み得る。いくつかの実施形態において、モジュールは、複数の事前定義済みの論理コンポーネントを有する１つまたは複数のＡＳＩＣを含む。いくつかの実施形態において、モジュールは、１つまたは複数のＦＰＧＡを含み、各々複数のプログラム可能論理コンポーネントを有する。
【０１０３】
いくつかの実施形態において、回路は、１つまたは複数の電気回路、プリント回路、導電体、電極、電気焼灼電極、空洞共振器、導電性トレース、セラミックパターン電極、電気機械コンポーネント、トランスデューサ、および同様のものを含む。
【０１０４】
いくつかの実施形態において、回路は、互いに動作可能に（たとえば、通信可能に、電磁的に、磁気的に、超音波により、光学的に、誘導的に、電気的に、容量結合により、ワイヤレス方式での結合により、または同様の方法で）結合された１つまたは複数のコンポーネントを含む。いくつかの実施形態では、回路は、１つまたは複数の遠く離れた場所に置かれたコンポーネントを含む。いくつかの実施形態において、遠く離れた場所に置かれたコンポーネントは、たとえば、ワイヤレス通信を介して動作可能に結合される。いくつかの実施形態において、遠く離れた場所に置かれたコンポーネントは、たとえば、１つまたは複数の通信モジュール、受信機、送信機、トランシーバ、または同様のものを介して動作可能に結合される。
【０１０５】
いくつかの実施形態において、回路は、たとえば、命令または情報を記憶するメモリを備える。メモリの非限定的な例は、揮発性メモリ（たとえば、ランダムアクセスメモリ（ＲＡＭ）、ダイナミックランダムアクセスメモリ（ＤＲＡＭ）、または同様のもの）、不揮発性メモリ（たとえば、リードオンリーメモリ（ＲＯＭ）、電気的消去可能プログラマブルリードオンリーメモリ（ＥＥＰＲＯＭ）、コンパクトディスクリードオンリーメモリ（ＣＤ−ＲＯＭ）、または同様のもの）、永続的メモリ、または同様のものを含む。メモリのさらなる非限定的な例は、消去可能プログラマブルリードオンリーメモリ（ＥＰＲＯＭ）、フラッシュメモリ、または同様のものを含む。いくつかの実施形態において、メモリは、たとえば、１つまたは複数の命令、情報、または電力バスによって１つまたは複数のコンピューティングデバイスに結合される。
【０１０６】
いくつかの実施形態において、回路は、１つまたは複数のコンピュータ可読媒体ドライブ、インターフェースソケット、ユニバーサルシリアルバス（ＵＳＢ）ポート、メモリカードスロット、または同様もの、およびたとえば、グラフィカルユーザインターフェース、ディスプレイ、キーボード、キーパッド、トラックボール、ジョイスティック、タッチスクリーン、マウス、スイッチ、ダイアル、または同様のもの、および他の周辺デバイスなどの１つまたは複数の入力／出力コンポーネントを含む。いくつかの実施形態において、モジュールは、たとえば、ターンオン電圧のシフトが検出されたことに応答して１つまたは複数の組織熱特性を決定するステップに関連付けられている少なくとも１つのパラメータを（電気的、電気機械的、ソフトウェア実装、ファームウェア実装、もしくは他の制御、またはこれらの組合せにより）制御するように構成されている少なくとも１つのコンピューティングデバイスに動作可能に結合されている１つまたは複数のユーザ入力／出力コンポーネントを備える。
【０１０７】
いくつかの実施形態において、回路は、信号伝達媒体（たとえば、コンピュータ可読メモリ媒体、コンピュータ可読記録媒体、または同様のもの）を受け入れるように構成されているコンピュータ可読媒体ドライブまたはメモリスロットを備える。いくつかの実施形態において、システムに開示されている方法のいずれかを実行させるためのプログラムは、たとえば、コンピュータ可読記録媒体、信号伝達媒体、または同様のものに記憶され得る。信号伝達媒体の非限定的例は、磁気テープ、フロッピーディスク、ハードディスクドライブ、コンパクトディスク（ＣＤ）、デジタルビデオディスク（ＤＶＤ）、ブルーレイディスク、デジタルテープ、コンピュータメモリ、または同様のものなどの、記録可能なタイプの媒体、ならびにデジタルもしくはアナログ通信媒体（たとえば、光ファイバーケーブル、導波管、有線通信リンク、ワイヤレス通信リンク（たとえば、受信機、送信機、トランシーバ、伝送論理回路、受信論理回路、など））などの、伝送タイプの媒体を含む。さらに、信号伝達媒体の非限定的な例は、限定はしないが、ＤＶＤ−ＲＯＭ、ＤＶＤ−ＲＡＭ、ＤＶＤ＋ＲＷ、ＤＶＤ−ＲＷ、ＤＶＤ−Ｒ、ＤＶＤ＋Ｒ、ＣＤ−ＲＯＭ、スーパーオーディオＣＤ、ＣＤ−Ｒ、ＣＤ＋Ｒ、ＣＤ＋ＲＷ、ＣＤ−ＲＷ、ビデオコンパクトディスク、スーパービデオディスク、フラッシュメモリ、磁気テープ、光磁気ディスク、ＭＩＮＩＤＩＳＣ、不揮発性メモリカード、ＥＥＰＲＯＭ、光ディスク、光学式記憶装置、ＲＡＭ、ＲＯＭ、システムメモリ、ウェブサーバ、または同様のものを含む。
【０１０８】
いくつかの実施形態において、回路は、音響トランスデューサ、電気音響トランスデューサ、電気化学トランスデューサ、電磁トランスデューサ、電気機械トランスデューサ、静電トランスデューサ、光電トランスデューサ、無線音響トランスデューサ、熱電トランスデューサ、超音波トランスデューサ、および同様のものを備える。
【０１０９】
いくつかの実施形態において、回路は、トランスデューサ（たとえば、アクチュエータ、モーター、圧電性結晶、微小電気機械システム（ＭＥＭＳ）など）に動作可能に結合されている電気回路を含む。いくつかの実施形態において、回路は、少なくとも１つのディスクリート電気回路を有する電気回路、少なくとも１つの集積回路を有する電気回路、または少なくとも１つの特定用途向け集積回路を有する電気回路を含む。いくつかの実施形態では、回路は、コンピュータプログラムによって構成される汎用コンピューティングデバイス（たとえば、本明細書で説明されているプロセスおよび／またはデバイスを少なくとも部分的に実行するコンピュータプログラムによって構成される汎用コンピュータ、または本明細書で説明されているプロセスおよび／またはデバイスを少なくとも部分的に実行するコンピュータプログラムによって構成されるマイクロプロセッサ）を形成する電気回路、メモリデバイス（たとえば、メモリのいくつかの形態（たとえば、ランダムアクセス、フラッシュ、リードオンリー、など））を形成する電気回路、通信デバイス（たとえば、モデム、通信スイッチ、光電気機器、など）を形成する電気回路、および／または光もしくは他の類似物などの、非電気的類似物を含む。
【０１１０】
いくつかの実施形態において、回路は、生体対象に関連付けられている少なくとも１つの生理学的特性を検出するように構成されている１つまたは複数のセンサを備える。
【０１１１】
こうしてイオン泳動デバイスおよび回路が説明されたが、いくつかの実施形態において、イオン泳動デバイスは、少なくとも１つの電極と化粧品組成物とを備える電極アセンブリを備え、回路は、電極アセンブリに動作可能に結合され、少なくとも連続直流電流刺激およびパルス電流刺激を同じ電極に対して同時に発生させるように構成され、連続直流電流刺激およびパルス電流刺激は化粧品組成物を生体対象に送達する性質のものであり、送達するのに十分な持続時間にわたるものである。
【０１１２】
いくつかの実施形態において、動作時に、イオン泳動デバイスは、０．０１ｍＡ／ｃｍ２から０．５ｍＡ／ｃｍ２の範囲の平均電流密度を有する連続直流電流刺激を発生するように構成されている回路を備える。
【０１１３】
いくつかの実施形態において、イオン泳動デバイスは、０．２ｍＡ／ｃｍ２の平均電流密度を有する連続直流電流刺激を発生するように構成されている回路を備える。
【０１１４】
いくつかの実施形態において、イオン泳動デバイスは、０．０１ｍＡ／ｃｍ２から１０ｍＡ／ｃｍ２の範囲の平均電流密度と、５０マイクロ秒から１ミリ秒の範囲のパルス幅と、１０ヘルツから５００ヘルツの範囲のパルス周波数と、１％から９０％の範囲のパルスのデューティサイクルとを有するパルス電流刺激を発生するように構成されている回路を備える。
【０１１５】
いくつかの実施形態において、イオン泳動デバイスは、０．０１ｍＡ／ｃｍ２から１０ｍＡ／ｃｍ２の範囲の平均電流密度と、５０マイクロ秒から１ミリ秒の範囲のパルス幅と、２から２０パルスを有する少なくとも１つの波束（または波列）と、１０ヘルツから５００ヘルツの範囲の波束の周波数と、１％から９０％の範囲のパルスのデューティサイクルとを有するパルス電流刺激を発生するように構成されている回路を備える。
【０１１６】
いくつかの実施形態において、イオン泳動デバイスは、０．０１ｍＡ／ｃｍ２から１０ｍＡ／ｃｍ２の範囲の平均電流密度と、５０マイクロ秒から１ミリ秒の範囲のパルス幅と、極性が交互に変わる２から２０パルスの範囲の少なくとも１つの波束（または波列）と、１０ヘルツから５００ヘルツの範囲の波束の周波数と、１％から９０％の範囲のパルスのデューティサイクルとを有するパルス電流刺激を発生するように構成されている回路を備える。
【０１１７】
いくつかの実施形態において、イオン泳動デバイスは、０．２ｍＡ／ｃｍ２の平均電流密度と、５００マイクロ秒の交流パルス持続時間と、２００ヘルツのパルス周波数とを有するパルス電流刺激を発生するように構成されている回路を備える。
【０１１８】
イオン泳動デバイスのいくつかの実施形態において、電極アセンブリは、活性剤組成物、たとえば、水性活性剤組成物を保持する少なくとも１つの貯槽を備える。
【０１１９】
イオン泳動デバイスのいくつかの実施形態において、電極アセンブリは、化粧品組成物、特に活性剤組成物、たとえば、活性剤水性組成物を保持する貯槽に電気的に結合されている少なくとも１つの活性電極を備え、電極アセンブリは連続直流電流刺激およびパルス電流刺激を同時に発生するように構成されている回路からの１つまたは複数の入力に応答して活性剤組成物を生体対象に経皮的に送達するように動作可能である。
【０１２０】
イオン泳動デバイスのいくつかの実施形態において、電極アセンブリは、少なくとも１つの電源に電気的に結合される。
【０１２１】
イオン泳動デバイスのいくつかの実施形態において、電極アセンブリは、少なくとも１つの活性電極アセンブリと、少なくとも１つの対向電極アセンブリとを備える。
【０１２２】
イオン泳動デバイスのいくつかの実施形態において、電極アセンブリは、特に保湿剤または保湿活性剤、アンチエージング活性剤、たとえば、脱色活性剤、皮膚微小循環に作用する活性剤、または皮脂調節活性剤から選択された活性剤を含む、フェイスケアもしくはボディケア組成物、または顔または身体のメークアップ用の組成物、またはヘア組成物、特に髪を洗うため、ヘアケアもしくはコンディショニングのため、髪の形を一時的に保持するかもしくは整えるため、髪を一時的に、半永久的に、もしくは永久的に染めるため、または髪のウェーブを真っ直ぐにするかもしくは永久的なウェーブにするための組成物、特に、毛根および髪の縮れを真っ直ぐにする、染める、もしくは漂白するための組成物、または頭皮用の組成物、特に、ふけ防止組成物、髪の喪失を予防するもしくは髪の再成長を促進するための組成物、抗脂漏性組成物、抗炎症性組成物、抗刺激もしくは鎮静組成物、マーク防止組成物、または頭皮を刺激もしくは保護するための組成物を含む化粧品組成物を保持する少なくとも１つの貯槽を具備する。
【０１２３】
図２〜図４は、ビタミンＣまたは他の水性活性剤組成物を投与するためにイオン泳動デバイスの回路によって生成される代表的な電流密度波形の電気刺激の実施形態を示している。
【０１２４】
図２を参照すると、第１の電流密度波形が、イオン泳動について例示されている。図２は、図１の回路およびイオン泳動デバイスによって生成され得る波形の一実施形態を示している。図１は、連続直流電流波形刺激を示している。電流密度波形は、イオン泳動治療の持続時間または一部に対する平均定数値として制御される。いくつかの実施形態において、定数値で制御される電流密度波形は、連続直流電流と称され、「直流電流」、「ＤＣ電流」、「ガルバニ電流」、および「ＤＣ」という用語は、交換可能である。いくつかの実施形態において、負の電流密度は、第１の電極１１４における極性が負であることを意味する。第２の電極１１６は、第１の電極が負の極性を有するときに正の極性を有する。慣例に従い、これは、電流が第２の正の電極１１６から第１の負の電極１１４に流れることを意味する。逆に、第１の電極１１４が正の極性を有し、第２の電極１１６が負の極性を有するときに、電流は第１の正の電極１１４から第２の負の電極１１６に流れ、これは、電流密度の正値によってグラフ上に表される。従来、電子は、電流と反対の方向に流れる、すなわち、負の極性から正の極性に流れると定義される。電流密度は、（活性電極の断面の）面積単位当たりのアンペア単位として定義される。
【０１２５】
図２は、特定の連続直流電流密度値および持続時間を示しているが、示されている値が例であることは理解されるべきである。図２の連続直流電流波形のいくつかの実施形態において、平均電流密度は、０．５ｍＡ／ｃｍ２以下で制御される。図２の連続直流電流波形のいくつかの実施形態において、平均電流密度は、０．２ｍＡ／ｃｍ２以下で制御される。図２の連続直流電流波形のいくつかの実施形態において、平均電流密度は、０．０１ｍＡ／ｃｍ２から０．５ｍＡ／ｃｍ２の間で制御される。図２の連続直流電流波形のいくつかの実施形態において、平均電流密度は、０．０１、０．０５、０．１、０．１５、０．２、０．２５、０．３、０．３５、０．４、０．４５、０．５ｍＡ／ｃｍ２の値のうちのいずれか１つまたは端点として使用される任意の２つの値の間の範囲内で制御される。図２の連続直流電流波形のいくつかの実施形態において、振幅は、上記の値のいずれかで制御され、電流は、少なくとも１分の持続時間の間に印加される。図２の連続直流電流波形のいくつかの実施形態において、振幅は、上記の値のいずれかで制御され、電流は、１０から２０分の持続時間の間に印加される。図２の連続直流電流波形のいくつかの実施形態において、振幅は、上記の値のいずれかで制御され、電流は、１、１．５、２、２．５、３、３．５、４、４．５、５、５．５、６、６．５、７、７．５、８、８．５、９、９．５、１０、１０．５、１１、１１．５、１２、１２．５、１３、１３．５、１４、１４．５、１５、１５．５、１６、１６．５、１７、１７．５、１８、１８．５、１９、１９．５、２０、２０．５、２１、２１．５、２２、２２．５、２３、２３．５、２４、２４．５、２５、２５．５、２６、２６．５、２７、２７．５、２８、２８．５、２９、２９．５、３０、３０．５、３１、３１．５、３２、３２．５、３３、３３．５、３４、３４．５、３５、３５．５、３６、３６．５、３７、３７．５、３８、３８．５、３９、３９．５、４０、４０．５、４１、４１．５、４２、４２．５、４３、４３．５、４４、４４．５、４５、４５．５、４６、４６．５、４７、４７．５、４８、４８．５、４９、４９．５、５０、５０．５、５１、５１．５、５２、５２．５、５３、５３．５、５４、５４．５、５５、５５．５、５６、５６．５、５７、５７．５、５８、５８．５、５９、５９．５、６０、または端点として使用される任意の２つの値の間の範囲の持続時間（分単位）の間印加される。図２の連続直流電流波形の実施形態のいくつかにおいて、波形の持続時間の間、第１の電極１１４は負であり、第２の電極１１６は正である。
【０１２６】
図３を参照すると、第２の電流密度波形が、イオン泳動について例示されている。図３は、図１の回路およびイオン泳動デバイスによって生成され得る波形の一実施形態を示している。図３は、パルス波を示している。電流密度波形は、イオン泳動治療の持続時間または一部に対して負のパルス（極性が電極１１４において負である）で制御される。いくつかの実施形態において、極性は、反転され得る。図３のパルスは、単極性である、すなわち、電流は一方向に移動する。図３のパルスは、最大振幅を有する。パルス波形は、最小振幅から増大し、最大振幅に到達し、次いで、最小振幅まで減少し、最小振幅に留まり、サイクルは繰り返す。いくつかの実施形態において、パルスは、最小振幅から開始し、最大振幅に到達し、次いで、最小振幅に戻る間カウントされる。したがって、パルスは、最小振幅の期間を含まない。いくつかの実施形態において、パルス周期は、最小振幅の期間を含む。いくつかの実施形態において、最大および最小振幅の持続時間は、同じである。
【０１２７】
いくつかの実施形態において、パルス波は、％デューティサイクルを有するように表されている。いくつかの実施形態において、％デューティサイクルをパルス波に関して表すことは、電流が％デューティサイクルについてオンになっていることを意味する。たとえば、５０％デューティサイクルは、電流がパルス周期の５０％についてオンであり、５０％についてオフであることを意味し、３０％デューティサイクルは、電流がパルス周期の３０％についてオンであり、７０％についてオフであることを意味する。いくつかの実施形態において、一方向パルスの％デューティサイクルは、５、１０、１５、２０、２５、３０、３５、４０、４５、５０、５５、６０、６５、７０、７５、８０、８５、９０、９５、または端点として使用される任意の２つの値の間の範囲である。いくつかの実施形態において、それぞれの両極性パルスの％デューティサイクルは、０．０１、５、１０、１５、２０、２５、３０、３５、４０、４５、５０、５５、６０、６５、７０、７５、８０、８５、９０、９５、１００または端点として使用される任意の２つの値の間の範囲である。いくつかの実施形態において、パルスのデューティサイクルは、１％から９０％の範囲である。いくつかの実施形態において、「オン」期間を意味するパルスは、時間の単位を有する持続時間として表され得る。いくつかの実施形態において、パルス「オフ」期間は、持続時間として表され得る。いくつかの実施形態において、パルス波は、ヘルツで表され、これは毎秒周期を意味する。いくつかの実施形態において、パルスは、第１の電極および第２の電極の極性を負と正との間で交互させることによって反転され得る。いくつかの実施形態において、両極性パルス、交流パルス、双方向性パルス、および反転パルスは同じものを意味している。いくつかの実施形態において、負の電流密度パルスは、最小に留まることなく、正の電流密度パルスが後に続く。負の電流密度パルスと正の電流密度パルスの両方を含むパルス波形は、負のパルスに対する最大値、正のパルスに対する最大値を含み、これらの値は同じである必要はない。さらに、いくつかの実施形態において、負の電流密度パルスの持続時間は、正の電流密度パルスの同じ持続時間である必要はない。いくつかの実施形態において、パルスの持続時間は、パルスが負であるか正であるかに関係なく、同じ持続時間である必要はない。
【０１２８】
いくつかの実施形態において、パルス波形は、２つまたはそれ以上のパルス波形を同時にまたは交互に組み合わせることができる。いくつかの実施形態において、パルス波形は、負の値と、その後に続く正のパルスを含み得る。したがって、負のパルスに対して最大および最小の振幅、正のパルスに対して最大および最小の振幅を有する。
【０１２９】
図３は、最大および最小パルス振幅の特定の電流密度値ならびにパルス持続時間を示しているが、示されている値が例にすぎないことは理解されるべきである。図３の電流波形のいくつかの実施形態において、平均電流密度は、パルスで制御され、各パルスの最大は、高くても０．２ｍＡ／ｃｍ２で制御され、最小振幅は０である。図３の電流波形のいくつかの実施形態において、平均電流密度は、パルスで制御され、各パルスの最大は、０．５ｍＡ／ｃｍ２以下で制御され、最小振幅は０である。図３の電流波形のいくつかの実施形態において、平均電流密度は、パルスで制御され、各パルスの最大は、０．２ｍＡ／ｃｍ２から０．５ｍＡ／ｃｍ２で制御され、最小振幅は０である。図３の電流波形のいくつかの実施形態において、平均電流密度は、パルスで制御され、各パルスの最大は、０．０１ｍＡ／ｃｍ２から１０ｍＡ／ｃｍ２で制御され、最小振幅は０である。図３の電流波形のいくつかの実施形態において、平均電流密度は、パルスで制御され、各パルスの最大は、０．０５ｍＡ／ｃｍ２から０．５ｍＡ／ｃｍ２で制御され、最小振幅は０である。図３の電流波形のいくつかの実施形態において、平均電流密度は、パルスで制御され、各パルスの最大は、０．２ｍＡ／ｃｍ２以下で制御され、最小振幅は０である。図３の電流波形のいくつかの実施形態において、平均電流密度はパルスで制御され、各パルスの最大は、０．０１、０．０５、０．１、０．１５、０．２、０．２５、０．３、０．３５、０．４、０．４５、０．５ｍＡ／ｃｍ２または端点として使用される任意の２つの値の間の範囲内で制御される。いくつかの実施形態において、電流密度は、二乗平均平方根（ｒｍｓ）として与えられる。いくつかの実施形態において、電流密度は、平均電流密度として与えられる。いくつかの実施形態において、電流密度は、ピーク電流密度として与えられるものとしてよく、これはそれぞれデューティサイクルが５０％および２５％で１ｍＡ／ｃｍ２または２ｍＡ／ｃｍ２と高いものとしてよい。
【０１３０】
いくつかの実施形態において、パルスは、最大振幅に対して正の一定勾配（垂直以外）を有し、その後に一定最大振幅における持続時間が続き、その後に０に対する負の一定勾配（垂直以外）が続き、その後に０における持続時間が続く。いくつかの実施形態において、最小値は０以外の値であってよい。いくつかの実施形態において、勾配は指数関数など、定数以外の値であってよい。図３の電流波形のいくつかの実施形態において、パルスは、三角波ではない。図３のいくつかの実施形態において、パルスは、方形波であり、最大および最小振幅は、同じ持続時間であるか、またはそうでない。図３の電流波形のいくつかの実施形態において、パルスは、方形波ではない。いくつかの実施形態において、パルス波は、正弦波、非正弦波、または任意の組合せである。いくつかの実施形態において、パルス波は、周期方形波、矩形波、鋸波、スパイク波、台形波、三角波、またはこれらの組合せである。
【０１３１】
図３のいくつかの実施形態において、パルスの最大振幅の持続時間は、パルスとパルスとの間の最小振幅の持続時間未満である。図３のいくつかの実施形態において、パルス持続時間（または幅）は、２つの最小値間に最大値（正または負のいずれか）を有する最小値間の時間として定義される。いくつかの実施形態において、パルス持続時間（または幅）は、時間単位で与えられる。いくつかの実施形態において、パルス持続時間（または幅）は、５０マイクロ秒から１ミリ秒の範囲である。いくつかの実施形態において、パルス持続時間（または幅）は、２００マイクロ秒から３００マイクロ秒の範囲である。いくつかの実施形態において、パルス持続時間（または幅）は、１０マイクロ秒から５００マイクロ秒の範囲である。いくつかの実施形態において、パルス持続時間（または幅）は、５０マイクロ秒から５ミリ秒の範囲である。いくつかの実施形態において、パルス持続時間（または幅）は、５０マイクロ秒未満または５ミリ秒超である。いくつかの実施形態において、パルス持続時間（または幅）は、５００マイクロ秒である。図３のいくつかの実施形態において、パルスの最大振幅の持続時間は、パルスとパルスとの間の最小振幅の持続時間より大きい。図３の電流波形のいくつかの実施形態において、最小振幅は、０ｍＡ／ｃｍ２である。図３のいくつかの実施形態において、最小振幅は、０ｍＡ／ｃｍ２より大きい（図３に関して０よりも「より」負であることを意味する）。図３の電流波形のいくつかの実施形態において、最大（および最小）振幅はパルス間で増大し得る。図３の電流波形のいくつかの実施形態において、最大（および最小）振幅はパルス間で減少し得る。図３の電流波形のいくつかの実施形態において、最大（および最小）振幅はパルス間で増大することができ、次いで、パルスからパルスの間で減少し、繰り返すことができる。
【０１３２】
図３の電流波形のいくつかの実施形態において、平均電流密度は、上記の値のいずれかのパルスで制御され、パルスの繰り返し数は１００ヘルツから３００ヘルツである。図３の電流波形のいくつかの実施形態において、平均電流密度は、上記の値のいずれかのパルスで制御され、パルスの繰り返し数は１ヘルツから２００ヘルツである。いくつかの実施形態において、パルスは、１ヘルツ未満である。図３の電流波形のいくつかの実施形態において、平均電流密度は、上記の値のいずれかのパルスで制御され、パルスの繰り返し数は１ヘルツから５００ヘルツである。図３の電流波形のいくつかの実施形態において、平均電流密度は、上記の値のいずれかのパルスで制御され、パルスの繰り返し数は２００ヘルツである。図３の電流波形のいくつかの実施形態において、平均電流密度は、上記の値のいずれかのパルスで制御され、パルスの繰り返し数は１０ヘルツから５００ヘルツである。図３の電流波形のいくつかの実施形態において、平均電流密度は、パルスの繰り返し数が１ヘルツから５００ヘルツ、または１ヘルツ刻みである間の任意の値のパルスで制御される。
【０１３３】
図３の実施形態のうちのいくつかにおいて、パルス波は波束（または波列）で進行する。いくつかの実施形態において、波束は、パルスの数、波束内のパルスの持続時間または幅、パルスの平均電流密度、波束内のパルスのデューティサイクル、および波束の周波数によって定義される。いくつかの実施形態において、波束は、極性が交互に変わるまたは変わらない２つ以上のパルスを有することができる。図３のいくつかの実施形態において、波束は、極性が交互に変わるまたは変わらない２から２０パルスを有することができる。図３のいくつかの実施形態において、波束は、１０ヘルツ以上の周波数で生成され得る。図３のいくつかの実施形態において、波束は、１０ヘルツから５００ヘルツの周波数で生成され得る。いくつかの実施形態において、波束内のパルスのデューティサイクルは、１％から９０％の範囲である。いくつかの実施形態において、パルスは、０．０１ｍＡ／ｃｍ２から１０ｍＡ／ｃｍ２の平均電流密度を有する。
【０１３４】
図３の電流波形のいくつかの実施形態において、イオン泳動治療は、１分から５分の持続時間の間に施される。図３の電流波形のいくつかの実施形態において、イオン泳動治療は、１、１．５、２、２．５、３、３．５、４、４．５、５、５．５、６、６．５、７、７．５、８、８．５、９、９．５、１０、１０．５、１１、１１．５、１２、１２．５、１３、１３．５、１４、１４．５、１５、１５．５、１６、１６．５、１７、１７．５、１８、１８．５、１９、１９．５、２０、２０．５、２１、２１．５、２２、２２．５、２３、２３．５、２４、２４．５、２５、２５．５、２６、２６．５、２７、２７．５、２８、２８．５、２９、２９．５、３０、３０．５、３１、３１．５、３２、３２．５、３３、３３．５、３４、３４．５、３５、３５．５、３６、３６．５、３７、３７．５、３８、３８．５、３９、３９．５、４０、４０．５、４１、４１．５、４２、４２．５、４３、４３．５、４４、４４．５、４５、４５．５、４６、４６．５、４７、４７．５、４８、４８．５、４９、４９．５、５０、５０．５、５１、５１．５、５２、５２．５、５３、５３．５、５４、５４．５、５５、５５．５、５６、５６．５、５７、５７．５、５８、５８．５、５９、５９．５、６０、または端点として使用される任意の２つの値の間の範囲の持続時間（分単位）の間に施される。図３の電流波形のいくつかの実施形態において、パルスが０よりも下に延びるときに第１の電極１１４は負の極性を有し、第２の電極１１６は正の極性を有する。しかし、パルスが０よりも上に延びるときに第１の電極１１４は正であり、第２の電極１１６は負である。したがって、電流の方向の逆を示す。
【０１３５】
図４を参照すると、第３の電流密度波形が、イオン泳動について例示されている。図４は、図１のイオン泳動デバイスによって生成され得る波形の一実施形態を示している。図４は、パルス波と同時に生じる連続直流電流を示している。電流密度波形は、負の単極性パルスで、またパルスとパルスとの間で制御され、電流密度は、連続直流電流として制御される。別の言い方をすると、図４の電流波形は、直流電流とデューティサイクルが１００％より小さいオフセット直流電流として取られる双方向パルスとの間の組合せとして説明できる。２つの波形は、イオン泳動治療の持続時間または一部について同時に印加される。特に、パルス波は、オンおよびオフの期間を有する。連続直流電流の上にパルス波を重ね合わせることで、電流プロファイルは直流電流の一定の値から始まるパルスを示す。パルスは、所定の持続時間の間に最大値に到達し、次いで、プロファイルは０に向かう。０値からのオフ期間の後に、連続直流電流が次いで次のパルスが来るまで印加される。したがって、波形の電流密度は、第２の振幅のパルスとの第１の振幅の連続直流電流の加算として説明されてよく、パルスは、再び直流電流を印加する前にオフ期間を有する。パルスは、直流電流振幅から開始し、最大パルス振幅に到達し、次いで、最小振幅または０に戻る間にカウントされる。したがって、パルスは、０における最小振幅の期間を含まない。パルス周期は、最小振幅の期間を含む。いくつかの実施形態において、最大および最小振幅の持続時間は、同じである。
【０１３６】
いくつかの実施形態において、パルスは、％デューティサイクルを有するように表されている。いくつかの実施形態において、％デューティサイクルをパルス波に関して表すことは、電流が％デューティサイクルについてオンになっていることを意味する。たとえば、パルスの５０％デューティサイクルは、電流がパルス周期の５０％についてオンであり、５０％についてオフであることを意味し、パルスの３０％デューティサイクルは、電流がパルス周期の３０％についてオンであり、７０％についてオフであることを意味する。いくつかの実施形態において、一方向パルスの％デューティサイクルは、５、１０、１５、２０、２５、３０、３５、４０、４５、５０、５５、６０、６５、７０、７５、８０、８５、９０、９５、または端点として使用される任意の２つの値の間の範囲である。いくつかの実施形態において、それぞれの両極性パルスの％デューティサイクルは、０．０１、５、１０、１５、２０、２５、３０、３５、４０、４５、５０、５５、６０、６５、７０、７５、８０、８５、９０、９５、１００または端点として使用される任意の２つの値の間の範囲である。いくつかの実施形態において、パルスのデューティサイクルは、１％から９０％の範囲である。いくつかの実施形態において、「オン」期間を意味するパルスは、持続時間として表され得る。いくつかの実施形態において、パルス「オフ」期間は、持続時間として表され得る。いくつかの実施形態において、パルス波は、ヘルツで表され、これは毎秒周期を意味する。いくつかの実施形態において、パルスは、第１の電極および第２の電極の極性を負と正との間で交互させることによって反転され得る。いくつかの実施形態において、両極性パルス、交流パルス、双方向性パルス、および反転パルスは同じものを意味している。いくつかの実施形態において、負の電流密度パルスは、最小に留まることなく、正の電流密度パルスが後に続く。負の電流密度パルスと正の電流密度パルスの両方を含むパルス波形は、負のパルスに対する最大値、正のパルスに対する最大値を含み、これらの値は同じである必要はない。さらに、いくつかの実施形態において、負の電流密度パルスの持続時間は、正の電流密度パルスの同じ持続時間である必要はない。いくつかの実施形態において、パルスの持続時間は、パルスが負であるか正であるかに関係なく、同じ持続時間である必要はない。
【０１３７】
いくつかの実施形態において、パルス波形は、２つまたはそれ以上のパルス波形を同時にまたは交互に組み合わせることができる。いくつかの実施形態において、パルス波形は、負の値と、その後に続く正のパルスを含み得る。したがって、負のパルスに対して最大および最小の振幅、正のパルスに対して最大および最小の振幅を有する。
【０１３８】
図４は、最大および最小パルス振幅の特定の電流密度値ならびにパルス持続時間を示しているが、示されている値が例にすぎないことは理解されるべきである。図４の電流波形のいくつかの実施形態において、直流電流と同時に、平均電流密度は、パルスで制御され、各パルスの最大は、高くても０．２ｍＡ／ｃｍ２で制御され、最小振幅は０である。これは、パルスを直流電流に加算した合計が０．４ｍＡ／ｃｍ２になることを意味する。図４の電流波形のいくつかの実施形態において、直流電流と同時に、平均電流密度は、パルスで制御され、各パルスの最大は、０．５ｍＡ／ｃｍ２以下であり、最小振幅は０であり、直流電流平均電流密度は、０．５ｍＡ／ｃｍ２の平均以下で制御される。図４の電流波形のいくつかの実施形態において、直流電流と同時に、平均電流密度は、パルスで制御され、各パルスの最大は、０．２ｍＡ／ｃｍ２から０．５ｍＡ／ｃｍ２で制御され、最小振幅は０であり、直流電流平均電流密度は、０．２ｍＡ／ｃｍ２から０．５ｍＡ／ｃｍ２で制御される。図４の電流波形のいくつかの実施形態において、直流電流と同時に、平均電流密度は、パルスで制御され、各パルスの最大は、０．２ｍＡ／ｃｍ２以下で制御され、最小振幅は０であり、直流電流平均電流密度は、０．２ｍＡ／ｃｍ２以下で制御される。図４の電流波形のいくつかの実施形態において、直流電流と同時に、平均電流密度は、パルスで制御され、各パルスの最大は、０．０１ｍＡ／ｃｍ２から１０ｍＡ／ｃｍ２で制御され、直流電流平均電流密度は、０．０１ｍＡ／ｃｍ２から０．５ｍＡ／ｃｍ２で制御される。図４の電流波形のいくつかの実施形態において、直流電流と同時に、平均電流密度はパルスおよび直流電流で制御され、各パルスの最大は、０．０１、０．０５、０．１、０．１５、０．２、０．２５、０．３、０．３５、０．４、０．４５、０．５ｍＡ／ｃｍ２または端点として使用される任意の２つの値の間の範囲内の平均で制御される。いくつかの実施形態において、電流密度は、二乗平均平方根（ｒｍｓ）として与えられる。いくつかの実施形態において、電流密度は、平均電流密度として与えられる。いくつかの実施形態において、電流密度は、ピーク電流密度として与えられるものとしてよく、これはそれぞれデューティサイクルが５０％および２５％で１ｍＡ／ｃｍ２または２ｍＡ／ｃｍ２と高いものとしてよい。
【０１３９】
図４のいくつかの実施形態において、パルスは、定義された最大値および最小値を有する三角波である、最大および最小振幅は同じ持続時間となっている。特に、パルスは、最大振幅に対して正の一定勾配（垂直以外）を有し、その後に一定最大振幅における期間が続き、その後に０に対する負の一定勾配（垂直以外）が続き、その後に０における期間が続く。いくつかの実施形態において、最小値は０以外の値であってよい。いくつかの実施形態において、勾配は指数関数など、定数以外の値であってよい。いくつかの実施形態において、パルス波は、正弦波、非正弦波、または任意の組合せである。いくつかの実施形態において、パルス波は、周期方形波、矩形波、鋸波、スパイク波、台形波、三角波、またはこれらの組合せである。
【０１４０】
図４のいくつかの実施形態において、パルスの最大振幅の持続時間は、パルスとパルスとの間の最小振幅の持続時間未満である。図４のいくつかの実施形態において、パルス持続時間（または幅）は、２つの最小値間に最大値（正または負のいずれか）を有する最小値間の時間として定義される。いくつかの実施形態において、パルス持続時間（または幅）は、時間単位で与えられる。いくつかの実施形態において、パルス持続時間（または幅）は、５０マイクロ秒から１ミリ秒の範囲である。いくつかの実施形態において、パルス持続時間（または幅）は、２００マイクロ秒から３００マイクロ秒の範囲である。いくつかの実施形態において、パルス持続時間（または幅）は、１０マイクロ秒から５００マイクロ秒の範囲である。いくつかの実施形態において、パルス持続時間（または幅）は、５０マイクロ秒から５ミリ秒の範囲である。いくつかの実施形態において、パルス持続時間（または幅）は、５０マイクロ秒未満または５ミリ秒超である。いくつかの実施形態において、パルス持続時間（または幅）は、５００マイクロ秒である。図４のいくつかの実施形態において、パルスの最大振幅の持続時間は、パルスとパルスとの間の最小振幅の持続時間より大きい。図４の電流波形のいくつかの実施形態において、最小振幅は、０ｍＡ／ｃｍ２である。図４のいくつかの実施形態において、最小振幅は、０ｍＡ／ｃｍ２より大きい（図４に関して０よりも「より」負であることを意味する）。図３の電流波形のいくつかの実施形態において、最大（および最小）振幅はパルス間で増大し得る。図４の電流波形のいくつかの実施形態において、最大（および最小）振幅はパルス間で減少し得る。図４の電流波形のいくつかの実施形態において、最大（および最小）振幅はパルス間で増大することができ、次いで、パルスからパルスの間で減少し、繰り返すことができる。
【０１４１】
図４の電流波形のいくつかの実施形態において、平均電流密度は、上記の値のいずれかのパルスと同時に直流電流として制御され、パルスの繰り返し数は１００ヘルツから３００ヘルツである。図４の電流波形のいくつかの実施形態において、電流密度は、上記の値のいずれかのパルスと同時に直流電流として制御され、パルスの繰り返し数は１ヘルツから５００ヘルツである。図４の電流波形のいくつかの実施形態において、平均電流密度は、パルスの繰り返し数が１ヘルツから５００ヘルツ、または１ヘルツ刻みである間の任意の値のパルスと同時に直流電流として制御される。図４の電流波形のいくつかの実施形態において、直流電流と同時に、平均電流密度は、上記の値のいずれかのパルスで制御され、パルスの繰り返し数は１０ヘルツから５００ヘルツである。図４の電流波形のいくつかの実施形態において、各パルスは、０．００１秒から１秒の間、または間の任意の値の持続時間を有する。図４の電流波形のいくつかの実施形態において、直流電流と同時に、平均電流密度は、パルスで制御され、パルスの繰り返し数は２００ヘルツであり、各パルスは、５００マイクロ秒の持続時間を有する。
【０１４２】
図４の実施形態のうちのいくつかにおいて、パルスは、波束（または波列）として印加される。いくつかの実施形態において、波束は、パルスの数、波束内のパルスの持続時間または幅、パルスの平均電流密度、波束内のパルスのデューティサイクル、および波束の周波数によって定義される。いくつかの実施形態において、波束は、極性が交互に変わるまたは変わらない２つ以上のパルスを有することができる。図４のいくつかの実施形態において、波束は、極性が交互に変わるまたは変わらない２から２０パルスを有することができる。図４のいくつかの実施形態において、波束は、１０ヘルツ以上の周波数で生成され得る。図４のいくつかの実施形態において、波束は、１０ヘルツから５００ヘルツの周波数で生成され得る。いくつかの実施形態において、波束内のパルスのデューティサイクルは、１％から９０％の範囲である。いくつかの実施形態において、波束のパルスは、０．０１ｍＡ／ｃｍ２から１０ｍＡ／ｃｍ２の平均電流密度を有する。
【０１４３】
図４の電流波形のいくつかの実施形態において、イオン泳動治療は、１、１．５、２、２．５、３、３．５、４、４．５、５、または端点として使用される任意の２つの値の間の範囲の持続時間（分単位）の間に施される。図４の電流波形のいくつかの実施形態において、電流は、１、１．５、２、２．５、３、３．５、４、４．５、５、５．５、６、６．５、７、７．５、８、８．５、９、９．５、１０、１０．５、１１、１１．５、１２、１２．５、１３、１３．５、１４、１４．５、１５、１５．５、１６、１６．５、１７、１７．５、１８、１８．５、１９、１９．５、２０、２０．５、２１、２１．５、２２、２２．５、２３、２３．５、２４、２４．５、２５、２５．５、２６、２６．５、２７、２７．５、２８、２８．５、２９、２９．５、３０、３０．５、３１、３１．５、３２、３２．５、３３、３３．５、３４、３４．５、３５、３５．５、３６、３６．５、３７、３７．５、３８、３８．５、３９、３９．５、４０、４０．５、４１、４１．５、４２、４２．５、４３、４３．５、４４、４４．５、４５、４５．５、４６、４６．５、４７、４７．５、４８、４８．５、４９、４９．５、５０、５０．５、５１、５１．５、５２、５２．５、５３、５３．５、５４、５４．５、５５、５５．５、５６、５６．５、５７、５７．５、５８、５８．５、５９、５９．５、６０、または端点として使用される任意の２つの値の間の範囲の持続時間（分単位）の間に連続直流電流として、およびパルスで印加される。図４の電流波形のいくつかの実施形態において、パルスは、単極性パルスである。図４の電流波形のいくつかの実施形態において、パルスが０よりも下に延びるときに第１の電極１１４は負の極性を有し、第２の電極１１６は正の極性を有する。しかし、パルスが０よりも上に延びるときに第１の電極１１４は正であり、第２の電極１１６は負である。したがって、電流の方向の逆を示す。
【０１４４】
いくつかの実施形態において、図２、図３、および図４の電流波形は、イオン泳動を利用して、ビタミンＣ組成物などの、水性活性剤組成物を皮膚内に投与するための同時波形を形成するように組み合わされ得る。いくつかの実施形態において、図２、図３、および図４の電流波形は、特に保湿剤または保湿活性剤、アンチエージング活性剤、たとえば、脱色活性剤、皮膚微小循環に作用する活性剤、または皮脂調節活性剤から選択された活性剤を含む、フェイスケアもしくはボディケア組成物、顔または身体のメークアップ用の組成物、ヘア組成物、特に髪を洗うため、ヘアケアもしくはコンディショニングのため、髪の形を一時的に保持するかもしくは整えるため、髪を一時的に、半永久的に、もしくは永久的に染めるため、または髪のウェーブを緩和するかもしくは永久的なウェーブにするための組成物、特に、毛根および髪の縮れを真っ直ぐにする、染める、もしくは漂白するための組成物、および頭皮用の組成物、特に、ふけ防止組成物、髪の喪失を予防するもしくは髪の再成長を促進するための組成物、抗脂漏性組成物、抗炎症性組成物、抗刺激もしくは鎮静組成物、マーク防止組成物、または頭皮を刺激もしくは保護するための組成物のうちの１つまたは複数を投与するための同時波形を形成するように組み合わされ得る。
【０１４５】
いくつかの実施形態において、図２、図３、および図４の電流波形は、図１のイオン泳動デバイスの回路によって生成される波形の組合せを形成するように組み合わされ得る。いくつかの実施形態において、図２〜図４の電流波形は、第１の持続時間の間に印加され、その後第２の持続時間の間に図２〜図４の異なる電流波形が印加されるか、またはその逆の順序で印加される。いくつかの実施形態において、２つまたはそれ以上の異なる電流波形が、電流治療持続時間全体について循環され得る。図２〜図４について上で説明されているような波形の詳細は、２つのまたはそれ以上の異なる波形を印加する併用治療に同様に適用可能である。すなわち、直流電流波形の実施形態のうちの１つまたは複数は、順にまたは同時にパルス波形のうちの１つまたは複数と組み合わされ得る。
【０１４６】
図２、図３、および図４の波形の場合、最大ピークにおけるピーク電圧は９９ボルトである。いくつかの実施形態において、電流を流す最大持続時間は、イオン泳動治療時に１２０分である。
【０１４７】
図２、図３、および図４に関連して説明されている電流密度波形および波形の組合せのすべての実施形態は、組成物のすべての実施形態のイオン泳動に使用され得る。
【０１４８】
図６は、いくつかの波形タイプの電気刺激の発生を通じて化粧品組成物を送達するための方法６００の実施形態を示している。いくつかの実施形態において、方法は、連続直流電流およびパルス電流を生体対象に同時に送達するためのステップ６０２を含み、連続直流電流およびパルス電流は化粧品組成物を生体対象に送達する性質のものであり、送達するのに十分な持続時間にわたるものである。
【０１４９】
いくつかの実施形態において、例示されているステップ６０４、６０６、６０８、および６１０は、任意選択である。さらに、いくつかの実施形態において、ステップ６０４、６０６、６０８、および６１０の順序は任意の順序であってよく、図に限定されない。いくつかの実施形態において、方法６００は、波形を発生するためのステップ６０４を含む。いくつかの実施形態において、ユーザは、イオン泳動デバイスに、選択された波形または電気刺激を構成する波形を生成させる選択を行う。いくつかの実施形態において、方法６００は、電流密度を発生するためのステップ６０６を含む。いくつかの実施形態において、ユーザは、イオン泳動デバイスに、選択された電流密度を発生させる選択を行う。いくつかの実施形態において、方法６００は、パルス持続時間を生成するためのステップ６０８を含む。いくつかの実施形態において、ユーザは、イオン泳動デバイスに、選択されたパルス持続時間を生成させる選択を行う。いくつかの実施形態において、方法６００は、パルス周波数を生成するためのステップ６１０を含む。いくつかの実施形態において、ユーザは、イオン泳動デバイスに、選択されたパルス周波数を生成させる選択を行う。
【０１５０】
いくつかの実施形態において、連続直流電流およびパルス電流を生体対象に同時に送達するための方法６００は、０．０１ｍＡ／ｃｍ２から０．５ｍＡ／ｃｍ２の範囲の平均電流密度を有する連続直流電流刺激を発生するステップを含む。
【０１５１】
いくつかの実施形態において、連続直流電流およびパルス電流を生体対象に同時に送達するための方法６００は、０．２ｍＡ／ｃｍ２の平均電流密度を有する連続直流電流刺激を発生するステップを含む。
【０１５２】
いくつかの実施形態において、連続直流電流およびパルス電流を生体対象に同時に送達するための方法６００は、０．０１ｍＡ／ｃｍ２から１０ｍＡ／ｃｍ２の範囲の平均電流密度と、５０マイクロ秒から１ミリ秒の範囲のパルス持続時間と、１０ヘルツから５００ヘルツの範囲のパルス周波数と、１％から９０％の範囲のパルスのデューティサイクルとを有するパルス電流刺激を発生するステップを含む。
【０１５３】
いくつかの実施形態において、連続直流電流およびパルス電流を生体対象に同時に送達するための方法６００は、０．２ｍＡ／ｃｍ２の平均電流密度と、５００マイクロ秒のパルス持続時間と、２００ヘルツのパルス周波数とを有するパルス交流電流刺激を発生するステップを含む。
【０１５４】
いくつかの実施形態において、連続直流電流およびパルス電流を生体対象に同時に送達するための方法６００は、０．０１ｍＡ／ｃｍ２から１０ｍＡ／ｃｍ２の範囲の平均電流密度と、５０マイクロ秒から１ミリ秒の範囲のパルス幅と、２から２０パルスの範囲の少なくとも１つの波束（または波列）と、１０ヘルツから５００ヘルツの範囲の波束の周波数と、１％から９０％の範囲のパルスのデューティサイクルとを有するパルス電流を発生するステップを含む。
【０１５５】
いくつかの実施形態において、連続直流電流およびパルス電流を生体対象に同時に送達するための方法６００は、０．０１ｍＡ／ｃｍ２から１０ｍＡ／ｃｍ２の範囲の平均電流密度と、５０マイクロ秒から１ミリ秒の範囲のパルス幅と、極性が交互に変わる２から２０パルスを有する少なくとも１つの波束（波列）と、１０ヘルツから５００ヘルツの範囲の波束の周波数と、１％から９０％の範囲のパルスのデューティサイクルとを有するパルス電流刺激を発生するステップを含む。
【０１５６】
いくつかの実施形態において、連続直流電流およびパルス電流を生体対象に同時に送達するための方法６００は、正弦波形、非正弦波形、またはこれらの組合せを有するパルス電流を発生するステップを含む。
【０１５７】
いくつかの実施形態において、連続直流電流およびパルス電流を生体対象に同時に送達するための方法６００は、周期方形波形、矩形波形、鋸波形、スパイク波形、台形波形、三角波形、またはこれらの組合せを有するパルス電流を発生するステップを含む。
【０１５８】
いくつかの実施形態において、方法６００は、特に保湿剤もしくは保湿活性剤、アンチエージング活性剤、たとえば、脱色活性剤、皮膚微小循環に作用する活性剤、または皮脂調節活性剤から選択された活性剤を含む、フェイスケアまたはボディケア組成物、または顔もしくは身体をメークアップするための組成物から選択された化粧品組成物を送達するステップを含む。
【０１５９】
図７は、いくつかの波形タイプの電気刺激の発生を通じて水性ビタミンＣ組成物などの水性活性剤組成物を皮膚に通して生体対象に送達するための方法７００の実施形態を示している。
【０１６０】
いくつかの実施形態において、方法７００は、選択された電流プロファイル、連続直流電流、パルス電流のいずれか、または両方の組合せを少なくとも１つの電極を備える任意のデバイスおよび／またはサポートから生体対象に印加するためのステップ７０２であって、連続直流電流、パルス電流、または両方の組合せは水性組成物を生体対象に経皮的に送達する性質のものであり、送達するのに十分な持続時間にわたるものである、ステップと、それにより、選択された電流モードに従って異なる率のビタミンＣを皮膚上に輸送するステップとを含む。
【０１６１】
いくつかの実施形態において、例示されているステップ７０４、７０６、７０８、および７１０は、任意選択である。さらに、いくつかの実施形態において、ステップ７０４、７０６、７０８、および７１０の順序は任意の順序であってよく、図に限定されない。いくつかの実施形態において、方法７００は、波形を発生するためのステップ７０４を含む。いくつかの実施形態において、ユーザは、イオン泳動デバイスに、選択された波形または電気刺激を構成する波形を生成させる選択を行う。いくつかの実施形態において、方法７００は、電流密度を発生するためのステップ７０６を含む。いくつかの実施形態において、ユーザは、イオン泳動デバイスに、選択された電流密度を発生させる選択を行う。いくつかの実施形態において、方法７００は、パルス持続時間を生成するためのステップ７０８を含む。いくつかの実施形態において、ユーザは、イオン泳動デバイスに、選択されたパルス持続時間を生成させる選択を行う。いくつかの実施形態において、方法７００は、パルス周波数を生成するためのステップ７１０を含む。いくつかの実施形態において、ユーザは、イオン泳動デバイスに、選択されたパルス周波数を生成させる選択を行う。ステップ７１２において、方法７００は、水性組成物を経皮的に送達するステップを含む。
【０１６２】
皮膚を通して水性ビタミンＣ組成物を送達する方法７００のいくつかの実施形態において、選択された電流プロファイルを生体対象に印加するステップは、０．０１ｍＡ／ｃｍ２から０．５ｍＡ／ｃｍ２の範囲の平均電流密度を有する連続直流電流刺激を発生するステップを含む。
【０１６３】
皮膚を通して水性ビタミンＣ組成物を送達する方法７００のいくつかの実施形態において、選択された電流プロファイルを生体対象に印加するステップは、０．２ｍＡ／ｃｍ２の平均電流密度を有する連続直流電流刺激を発生するステップを含む。
【０１６４】
皮膚を通して水性ビタミンＣ組成物を送達する方法７００のいくつかの実施形態において、選択された電流プロファイルを生体対象に印加するステップは、正弦波形、非正弦波形、またはこれらの組合せを有するパルス電流を発生するステップを含む。
【０１６５】
皮膚を通して水性ビタミンＣ組成物を送達する方法７００のいくつかの実施形態において、選択された電流プロファイルを生体対象に印加するステップは、周期方形波形、矩形波形、鋸波形、スパイク波形、台形波形、三角波形、またはこれらの組合せを有するパルス電流を発生するステップを含む。
【０１６６】
皮膚を通して水性ビタミンＣ組成物を送達する方法７００のいくつかの実施形態において、選択された電流プロファイルを生体対象に印加するステップは、連続直流電流およびパルス電流を送達するステップと、０．０５ｍＡ／ｃｍ２から０．５ｍＡ／ｃｍ２の範囲の平均電流密度と、２００マイクロ秒から３００マイクロ秒の範囲のパルス持続時間と、１００ヘルツから３００ヘルツの範囲のパルス周波数とを有するパルス電流刺激を発生するステップとを同時に実行するステップを含む。
【０１６７】
いくつかの実施形態において、皮膚を通して水性ビタミンＣ組成物を送達する方法７００は、０．１重量％から２０重量％の範囲の量で存在するビタミンＣ、ビタミンＣ誘導体、ビタミンＣのイオン、ビタミンＣ誘導体のイオンのうちの１つまたは複数、０．０１重量％から３０重量％の範囲の量で存在する１つまたは複数のケイ素表面活性剤、０．０１重量％から１０重量％の範囲の量で存在する１つまたは複数のイオン性ポリマー、および少なくとも３０重量％の量で存在する水を含む水性組成物を経皮的に送達するステップをさらに含む。
【０１６８】
いくつかの実施形態において、皮膚を通して水性ビタミンＣ組成物を送達する方法７００は、０．０１重量％から３０重量％の範囲の量で存在するビタミンＣ、ビタミンＣ誘導体、ビタミンＣのイオン、ビタミンＣ誘導体のイオンのうちの１つまたは複数、０．０１重量％から３０重量％の範囲の量で存在する１つまたは複数のケイ素表面活性剤、０．０１重量％から２０重量％の範囲の量で存在する１つまたは複数の非イオン性ポリマー、および少なくとも３０重量％の量で存在する水を含む水性組成物を経皮的に送達するステップをさらに含む。
【０１６９】
皮膚を通して水性ビタミンＣ組成物を送達する方法７００のいくつかの実施形態において、水性活性剤組成物を経皮的に送達するステップは、０．０１ｍＡ／ｃｍ２から０．５ｍＡ／ｃｍ２の範囲の平均電流密度を有する連続直流電流刺激を発生するステップと、０．０１ｍＡ／ｃｍ２から１０ｍＡ／ｃｍ２の範囲の平均電流密度と、１０マイクロ秒から５００マイクロ秒の範囲のパルス持続時間と、１０ヘルツから５００ヘルツの範囲のパルス周波数とを有するパルス電流刺激を発生するステップとを含み、連続直流電流およびパルス電流は水性活性剤組成物を生体対象に経皮的に送達するのに十分な持続時間にわたる。
【０１７０】
図６および図７に関して上で説明されているイオン泳動法とともに使用するためのイオン泳動組成物が開示されている。
【０１７１】
いくつかの実施形態において、イオン泳動組成物は、０．１重量％から３０重量％の範囲の量で存在するビタミンＣ、ビタミンＣ誘導体、ビタミンＣのイオン、およびビタミンＣ誘導体のイオンのうちの１つまたは複数と、０．１重量％から３０重量％の範囲の量で存在する１つまたは複数のケイ素材料と、少なくとも２０重量％の量で存在する水とを含み、イオン泳動組成物はイオン泳動組成物の総重量に対して少なくとも３０重量％である水相を有する。
【０１７２】
いくつかの実施形態において、イオン泳動組成物は、０．０１重量％から１０重量％の範囲の量で存在する１つまたは複数のイオン性ポリマーをさらに含み、ビタミンＣ、ビタミンＣ誘導体、ビタミンＣのイオン、およびビタミンＣ誘導体のイオンのうちの１つまたは複数は、０．１重量％から３０重量％の範囲の量で存在する。
【０１７３】
いくつかの実施形態において、イオン泳動組成物は、０．０１重量％から２０重量％の範囲の量で存在する１つまたは複数の非イオン性ポリマーをさらに含み、ビタミンＣ、ビタミンＣ誘導体、ビタミンＣのイオン、およびビタミンＣ誘導体のイオンのうちの１つまたは複数は、０．０１重量％から３０重量％の範囲の量で存在する。
【０１７４】
いくつかの実施形態において、イオン泳動組成物は、２から７．５の範囲のｐＨをさらに含む。
【０１７５】
イオン泳動組成物のいくつかの実施形態において、１つまたは複数のケイ素材料は、１つまたは複数のケイ素表面活性剤を含む。イオン泳動組成物のいくつかの実施形態において、ケイ素含有表面活性剤は、ポリジメチルシロキサン、ポリ［オキシ（ジメチルシリレン）］、ポリビニルシロキサン、シクロヘキサシロキサン、それらの誘導体、またはこれらの組合せから選択される。
【０１７６】
イオン泳動組成物のいくつかの実施形態において、イオン性ポリマーおよび非イオン性ポリマーは、アクリロニトリル／メチルメタクリレート／塩化ビニリデンコポリマー、ビオサッカリドガム−１、ナトリウムスチレン／無水マレイン酸コポリマー、キサンタンガム、ポリアクリロイルジメチルタウリンアンモニウム、その誘導体、それらのイオン、およびそれらの組合せから選択される。
【０１７７】
イオン泳動組成物のいくつかの実施形態において、ビタミンＣ誘導体は、パルミチン酸アスコルビルおよびリン酸アスコルビルマグネシウム、テトライソパルミトイルアスコルビル、アスコルビン酸テトラヘキシルデシル、リン酸アスコルビルナトリウム、ならびにこれらの組合せから選択される。
【０１７８】
イオン泳動組成物のいくつかの実施形態において、組成物は、ビタミン、脂肪、溶媒、保湿剤、粘度低下剤、防腐剤、キレート剤、粘度制御剤、スキンコンディショナー、皮膚軟化剤、乳化剤、洗浄剤、乳化安定剤、粘度上昇剤、抗酸化剤、結合剤、美白剤、ｐＨ調整剤、緩衝剤、変性剤、増量剤、乳白剤をさらに含む。
【０１７９】
イオン泳動組成物のいくつかの実施形態において、組成物は、ビオサッカリドガム−１（および）レブリン酸ナトリウム（および）カプリル酸グリセリル（および）アニス酸ナトリウム、アクリレート／アクリル酸ｃ１０−３０アルキルクロスポリマー、カルボマー、ナトリウムスチレン／無水マレイン酸コポリマー、ナイロン−１２、キサンタンガム、それらの誘導体、それらのイオン、またはそれらの組合せから選択されたイオン性ポリマーおよび非イオン性ポリマーを含む。
【０１８０】
いくつかの実施形態において、イオン泳動組成物は、２から７．４のｐＨを有する。
【０１８１】
いくつかの実施形態において、イオン泳動組成物は、２から７のｐＨを有する。
【０１８２】
いくつかの実施形態において、イオン泳動組成物は、５．７から６．３のｐＨを有する。
【０１８３】
いくつかの実施形態において、イオン泳動組成物は、２から６．３のｐＨを有する。
【０１８４】
いくつかの実施形態において、イオン泳動組成物は、ビタミンＢ５、ビタミンＡ、ビタミンＢ３、およびビタミンＥから選択される１つまたは複数のビタミンを含む。
【０１８５】
いくつかの実施形態において、イオン泳動組成物は、堅果油、種油、および植物油から選択される１つまたは複数の脂肪を含む。
【０１８６】
いくつかの実施形態において、イオン泳動組成物は、水、脱イオン水、およびＥａｕ  ｄｅ  ｌａ  Ｒｏｃｈｅ−Ｐｏｓａｙ（商標）から選択される１つまたは複数の溶媒を含む。
【０１８７】
いくつかの実施形態において、イオン泳動組成物は、グリセリン、カプリリルグリコール、およびヒアルロン酸ナトリウムから選択される１つまたは複数の保湿剤を含む。
【０１８８】
いくつかの実施形態において、イオン泳動組成物は、グリセリンから選択される１つまたは複数の粘度低下剤を含む。
【０１８９】
いくつかの実施形態において、イオン泳動組成物は、フェノキシエタノール、サリチル酸、およびメチルパラベンナトリウムから選択される１つまたは複数の防腐剤を含む。
【０１９０】
いくつかの実施形態において、イオン泳動組成物は、エチレンジアミン四酢酸二ナトリウムから選択される１つまたは複数のキレート剤を含む。
【０１９１】
いくつかの実施形態において、イオン泳動組成物は、エチレンジアミン四酢酸二ナトリウム、アンモニウムポリアクリルジメチルタウラミド、およびナイロン−１２から選択される１つまたは複数の粘度制御剤を含む。
【０１９２】
いくつかの実施形態において、イオン泳動組成物は、安息香酸Ｃ１２−１５アルキル、カプリリルグリコール、ステアリン酸グリセリルおよびステアリン酸ポリエチレングリコール１００、酢酸トコフェロール、ヒアルロン酸ナトリウム、パルミチン酸エチルヘキシル、ジメチコーンおよびジメチコノール、ジメチコーン、ジメチコーンおよびジメチコーン／ビニルジメチコーンクロスポリマー、ビオサッカリドガム−１、オキソチアゾリジンカルボン酸、アスコルビン酸、ナトリウムスチレン／無水マレイン酸コポリマー、サリチル酸、シクロヘキサシロキサン、水添ポリイソブテン、ビオサッカリドガム−１およびレブリン酸ナトリウムおよびカプリル酸グリセリルおよびアニス酸ナトリウム、レモンエキス、アルコールおよびゲンチアナ根エキス、ならびにジメチコーンおよびポリエチレングリコール／ポリプロピレングリコール−１８／１８ジメチコーンから選択される１つまたは複数のスキンコンディショナーを含む。
【０１９３】
いくつかの実施形態において、イオン泳動組成物は、安息香酸Ｃ１２−１５アルキル、カプリリルグリコール、ステアリン酸グリセリルおよびステアリン酸ポリエチレングリコール１００、パルミチン酸エチルヘキシル、ジメチコーンおよびジメチコノール、ジメチコーン、ジメチコーンおよびジメチコーン／ビニルジメチコーンクロスポリマー、シクロヘキサシロキサン、水添ポリイソブテン、ビオサッカリドガム−１およびレブリン酸ナトリウムおよびカプリル酸グリセリルおよびアニス酸ナトリウム、ならびにジメチコーンおよびポリエチレングリコール／ポリプロピレングリコール−１８／１８ジメチコーンから選択される１つまたは複数の皮膚軟化剤を含む。
【０１９４】
いくつかの実施形態において、イオン泳動組成物は、ステアリン酸グリセリルおよびステアリン酸ポリエチレングリコール１００、セチルアルコール、キサンタンガム、トリエタノールアミン、ビオサッカリドガム−１およびレブリン酸ナトリウムおよびカプリル酸グリセリルおよびアニス酸ナトリウム、ならびにジメチコーンおよびポリエチレングリコール／ポリプロピレングリコール−１８／１８ジメチコーンから選択される１つまたは複数の乳化剤を含む。
【０１９５】
いくつかの実施形態において、イオン泳動組成物は、ステアリン酸グリセリルおよびステアリン酸ポリエチレングリコール１００から選択される１つまたは複数の洗浄剤を含む。
【０１９６】
いくつかの実施形態において、イオン泳動組成物は、セチルアルコール、キサンタンガム、アンモニウムポリアクリルジメチルタウラミド、ナトリウムスチレン／無水マレイン酸コポリマー、カルボマー、およびアクリレート／Ｃ１０−３０アルキルアクリレートクロスポリマーから選択される１つまたは複数の安定剤を含む。
【０１９７】
いくつかの実施形態において、イオン泳動組成物は、セチルアルコール、キサンタンガム、ジメチコーンおよびジメチコーン／ビニルジメチコーンクロスポリマー、カルボマー、およびアクリレート／Ｃ１０−３０アルキルアクリレートクロスポリマーから選択される１つまたは複数の粘度上昇剤を含む。
【０１９８】
いくつかの実施形態において、イオン泳動組成物は、酢酸トコフェロール、およびアスコルビン酸から選択される１つまたは複数の抗酸化剤を含む。
【０１９９】
いくつかの実施形態において、イオン泳動組成物は、キサンタンガムから選択される１つまたは複数の結合剤を含む。
【０２００】
いくつかの実施形態において、イオン泳動組成物は、オキソチアゾリジンカルボン酸から選択される１つまたは複数の美白剤を含む。
【０２０１】
いくつかの実施形態において、イオン泳動組成物は、トリエタノールアミン、水酸化カリウム、および水酸化ナトリウムから選択される１つまたは複数のｐＨ調整剤を含む。
【０２０２】
いくつかの実施形態において、イオン泳動組成物は、水酸化カリウムおよびヒドロキシエチルピペラジンエタンスルホン酸、ならびに水酸化ナトリウムから選択される１つまたは複数の緩衝剤を含む。
【０２０３】
いくつかの実施形態において、イオン泳動組成物は、水酸化ナトリウムから選択される１つまたは複数の変性剤を含む。
【０２０４】
いくつかの実施形態において、イオン泳動組成物は、ナイロン−１２から選択される１つまたは複数の増量剤を含む。
【０２０５】
いくつかの実施形態において、イオン泳動組成物は、ナイロン−１２から選択される１つまたは複数の乳白剤を含む。
【０２０６】
次のものは、イオン泳動治療における電流波形のすべての実施形態で使用するのに適している１０重量％のビタミンＣ組成物（１０％ビタミンＣ処方１）の代表的成分である。量は、重量パーセントで与えられる。成分名は、化粧品原料国際命名法（ＩＮＣＩ  ＵＳ）に従う。
【０２０７】
水（溶媒）：４３．５２５％（３０％から５０％の範囲、および間の任意の値）、
【０２０８】
グリセリン（保湿剤および粘度低下剤）：３％（０％から６％の範囲、および間の任意の値）、
【０２０９】
フェノキシエタノール（防腐剤）：０．４％（０％から１％の範囲、および間の任意の値）、
【０２１０】
エチレンジアミン四酢酸二ナトリウム（キレート剤および粘度制御剤）：０．０５％（０％から１％の範囲、および間の任意の値）、
【０２１１】
安息香酸Ｃ１２−１５アルキル（スキンコンディショナーおよび皮膚軟化剤）：３％（０％から６％の範囲、および間の任意の値）、
【０２１２】
カプリリルグリコール（スキンコンディショナー、皮膚軟化剤、および保湿剤）：０．３％（０％から１％の範囲、および間の任意の値）、
【０２１３】
ステアリン酸グリセリルおよびステアリン酸ポリエチレングリコール１００（スキンコンディショナー、皮膚軟化剤、乳化剤、および洗浄剤）：２．５％（０％から５％の範囲、および間の任意の値）、
【０２１４】
セチルアルコール（安定剤、乳化剤、および粘度上昇剤）：２％（０％から４％の範囲、および間の任意の値）、
【０２１５】
酢酸トコフェロール（抗酸化剤およびスキンコンディショナー）：０．５％（０％から１％の範囲、および間の任意の値）、
【０２１６】
キサンタンガム（結合剤、安定剤、乳化剤、および粘度上昇剤）：０．２５％（０％から１％の範囲、および間の任意の値）、
【０２１７】
ヒアルロン酸ナトリウム（保湿剤およびスキンコンディショナー）：０．０５％（０％から１％の範囲、および間の任意の値）、
【０２１８】
アンモニウムポリアクリルジメチルタウラミド（安定剤および粘度制御剤）：０．８％（０％から２％の範囲、および間の任意の値）、
【０２１９】
パルミチン酸エチルヘキシル（スキンコンディショナーおよび皮膚軟化剤）：３％（０％から６％の範囲、および間の任意の値）、
【０２２０】
ジメチコーンおよびジメチコノール（スキンコンディショナーおよび皮膚軟化剤）：０．５％（０％から１％の範囲、および間の任意の値）、
【０２２１】
ジメチコーン（スキンコンディショナーおよび皮膚軟化剤）：１％（０％から２％の範囲、および間の任意の値）、
【０２２２】
ジメチコーンおよびジメチコーン／ビニルジメチコーンクロスポリマー（スキンコンディショナー、皮膚軟化剤、および粘度上昇剤）：３％（０％から６％の範囲、および間の任意の値）、
【０２２３】
ビオサッカリドガム−１（スキンコンディショナー）：３．４％（０％から７％の範囲、および間の任意の値）、
【０２２４】
Ｅａｕ  ｄｅ  ｌａ  Ｒｏｃｈｅ−Ｐｏｓａｙ（商標）（水溶媒）：１％（０％から２％の範囲、および間の任意の値）、
【０２２５】
脱イオン水（溶媒）：２％（０％から４％の範囲、および間の任意の値）、
【０２２６】
オキソチアゾリジンカルボン酸（美白剤およびスキンコンディショナー）：０．１５％（０％から１％の範囲、および間の任意の値）、
【０２２７】
トリエタノールアミン（乳化剤およびｐＨ調整剤）：０．１５％（０％から１％の範囲、および間の任意の値）、
【０２２８】
アスコルビン酸（ビタミンＣ）（抗酸化剤およびスキンコンディショナー）：１０％（０．１％から２５％の範囲、および間の任意の値）、
【０２２９】
水酸化カリウム（緩衝剤およびｐＨ調整剤）：５．９％（０％から１２％の範囲、および間の任意の値）、
【０２３０】
ナトリウムスチレン／無水マレイン酸コポリマー（安定剤およびスキンコンディショナー）：３．１２５％（０％から７％の範囲、および間の任意の値）、
【０２３１】
アクリロニトリル／メチルメタクリレート／塩化ビニリデンコポリマー（荷電ポリマー）：０．３％（０％から１％の範囲、および間の任意の値）、
【０２３２】
香り：０．１％（０％から１％の範囲、および間の任意の値）、
【０２３３】
ｐＨ５．７から６．３および間にある任意の値。
【０２３４】
次のものは、イオン泳動治療における電流波形のすべての実施形態で使用するのに適している５重量％のビタミンＣ組成物（５％ビタミンＣ処方２）の代表的成分である。量は、重量パーセントで与えられる。成分名は、化粧品原料国際命名法（ＩＮＣＩ  ＵＳ）に従う。
【０２３５】
水（溶媒）：４０％（３０％から５０％の範囲、および間の任意の値）、
【０２３６】
グリセリン（保湿剤および粘度低下剤）：７％（０％から１４％の範囲、および間の任意の値）、
【０２３７】
エチレンジアミン四酢酸二ナトリウム（キレート剤および粘度制御剤）：０．０５％（０％から１％の範囲、および間の任意の値）、
【０２３８】
サリチル酸（スキンコンディショナーおよび防腐剤）：０．２％（０％から１％の範囲、および間の任意の値）、
【０２３９】
メチルパラベンナトリウム（防腐剤）：０．２％（０％から１％の範囲、および間の任意の値）、
【０２４０】
フェノキシエタノール（防腐剤）：０．７％（０％から２％の範囲、および間の任意の値）、
【０２４１】
ヒドロキシエチルピペラジンエタンスルホン酸（緩衝剤）：０．５％（０％から１％の範囲、および間の任意の値）、
【０２４２】
脱イオン水（溶媒）：２９．５１７％（２０％から４０％の範囲、および間の任意の値）、
【０２４３】
キサンタンガム（結合剤、安定剤、乳化剤、および粘度上昇剤）：０．２％（０％から１％の範囲、および間の任意の値）、
【０２４４】
シクロヘキサシロキサン（皮膚軟化剤およびスキンコンディショナー）：３％（０％から６％の範囲、および間の任意の値）、
【０２４５】
水添ポリイソブテン（皮膚軟化剤およびスキンコンディショナー）：４％（０％から８％の範囲、および間の任意の値）、
【０２４６】
酢酸トコフェロール（抗酸化剤およびスキンコンディショナー）：０．５％（０％から１％の範囲、および間の任意の値）、
【０２４７】
香り：０．５％（０％から１％の範囲、および間の任意の値）、
【０２４８】
カルボマー（安定剤および粘度上昇剤）：０．８％（０％から２％の範囲、および間の任意の値）、
【０２４９】
アクリレート／アクリル酸アルキルｃ１０−３０クロスポリマー（安定剤および粘度上昇剤）：０．４％（０％から１％の範囲、および間の任意の値）、
【０２５０】
水酸化ナトリウム（変性剤、ｐＨ調整剤、および緩衝剤）：０．６％（０％から２％の範囲、および間の任意の値）、
【０２５１】
脱イオン水（溶媒）：１．３２３％（０％から３％の範囲、および間の任意の値）、
【０２５２】
ビオサッカリドガム−１およびレブリン酸ナトリウムおよびカプリル酸グリセリルおよびアニス酸ナトリウム（スキンコンディショナー、皮膚軟化剤、乳化剤）：３％（０％から６％の範囲、および間の任意の値）、
【０２５３】
レモンエキス（スキンコンディショナーおよび香り）：０．０５％（０％から１％の範囲、および間の任意の値）、
【０２５４】
アルコールおよびゲンチアナ根エキス（スキンコンディショナーおよび香り）：０．１％（０％から１％の範囲、および間の任意の値）、
【０２５５】
ジメチコーンおよびポリエチレングリコール／ポリプロピレングリコール−１８／１８ジメチコーン（スキンコンディショナー、皮膚軟化剤、および乳化剤）：１．５％（０％から３％の範囲、および間の任意の値）、
【０２５６】
ナイロン−１２（増量剤、乳白剤、および粘度制御剤）：０．５％（０％から１％の範囲、および間の任意の値）、
【０２５７】
脱イオン水（溶媒）：１５％（０％から３０％の範囲、および間の任意の値）、
【０２５８】
アスコルビン酸（ビタミンＣ）（抗酸化剤およびスキンコンディショナー）：５％（０．１％から２５％の範囲、および間の任意の値）、
【０２５９】
水酸化カリウム（緩衝剤およびｐＨ調整剤）：２．８６％（０％から６％の範囲、および間の任意の値）、
【０２６０】
ナトリウムスチレン／無水マレイン酸コポリマー（安定剤およびスキンコンディショナー）：２．５％（０％から５％の範囲、および間の任意の値）、
【０２６１】
ｐＨ６．４から７．０および間にある任意の値。
【０２６２】
いくつかの実施形態において、本明細書におけるビタミンＣ組成物は、指定された成分を「含む」ことができ、他の指定されていない成分が存在する可能性を残している。
【０２６３】
いくつかの実施形態において、本明細書におけるビタミンＣ組成物は、特定の成分から「なる」ものとしてよく、これは組成物が指定された成分のみを含むことを意味する。別の言い方をすると、指定された成分が、ビタミンＣ組成物の１００重量％を構成するということである。
【０２６４】
（実施例）
イオン泳動輸送実験が実施され、０．２ｍＡ／ｃｍ２のイオン泳動電流密度（活性電極において負の極性）および５分間の治療適用での２つの製剤（活性成分の５％（５％ビタミンＣ処方２）および１０％（１０％ビタミンＣ処方１）を含有する）からのアスコルビン酸（ビタミンＣ）の皮膚堆積を定量した。
【０２６５】
３つの電流プロファイルでは０．２ｍＡ／ｃｍ２の電流密度を使用した：（ｉ）ガルバニ（ＤＣ）（負）、（ｉｉ）方形パルス電流（負、２０００ヘルツ、デューティサイクル５０％）、および（ｉｉｉ）パルス電流（負、−０．４ｍＡ／ｃｍ２で０．２５ｍｓ幅および０ｍＡ／ｃｍ２で０．２５ｍｓ）と結合されたガルバニ電流（負）、２００Ｈｚの繰り返し。制御は、組成物の局所適用である。これらの結果は、図５に示されている。
【０２６６】
これらの結果は、イオン泳動でＤＣ電流とパルス電流と組み合わせたＤＣ電流とを使用した結果、５％のビタミンＣを含有する組成物では、対照と比較してビタミンＣの堆積が大きくなったことを示している。ＤＣ電流を使用した堆積は３．５％のビタミンであったが、パルス電流を伴うＤＣ電流については、堆積は４．５％のビタミンＣであった。これらの結果も、イオン泳動でパルス電流と組み合わせてＤＣ電流を使用した結果、１０％のビタミンＣを含有する組成物では、対照と比較してビタミンＣの堆積が大きくなった（約３．３％）ことを示している。
【０２６７】
ビタミンＣは、水溶性であることを示し、イオンを形成し、生理学的に許容可能なｐＨで水溶液系中で負電荷を有し、高濃度で処方され得る。いくつかの実施形態において、イオン泳動でパルス電流と結合されたＤＣ電流を使用した結果、５％および１０％のビタミンＣ組成物では、対照よりも高い堆積を生じた。
【０２６８】
１０％ビタミンＣ処方１および５％ビタミンＣ処方２は、多くの異なる賦形剤を含む複雑な組成を有し、皮膚内への中性の（荷電されていない）アスコルビン酸の受動的投与を円滑にするように作製された。水溶液中のアスコルビン酸のｐＫａは＝４．７０である。ｐＫａがそれぞれ有機非水溶媒および６．７および６の処方のｐＨの存在下で高くなる傾向があるとすれば、かなりの割合のアスコルビン酸が中性状態のままである可能性が高い。したがって、アスコルビン酸がイオン化されない場合に、一定電流を印加した後に陰極からのエレクトロマイグレーションの恩恵を受けられない。実際、非イオン化分子は陽極から印加され、電気浸透を使用してイオン泳動による送達を改善する−−陰極から印加される場合にエレクトロトランスポートが妨げられる。この場合、アスコルビン酸は陰極のところでイオン泳動されたこれらの製剤中に荷電されていない形態で存在していたと仮定すると、プロファイル（ｉｉｉ）を使用してわかった結果は、エレクトロマイグレーションによる結果でなかったが、皮膚の受動的浸透性を高める際のこの電流プロファイルの効果に帰因し得るという可能性がある。プロファイル（ｉｉｉ）は、物理的増強方法として機能し、エレクトロポレーションの場合と同様に変性皮膚保護材を通じての受動的拡散を円滑にし得る。
【０２６９】
例示的な実施形態が図示され説明されているが、そこでは、請求されている主題の精神および範囲から逸脱することなく様々な変更がなされ得ることは理解される。
【符号の説明】
【０２７０】
１０２  電源
１０４  電流波形発生器
１０６  パルス発生器
１０８  極性発生器
１１２  プランジャ
１１４  第１の（活性）電極
１１６  第２の（対向または対）電極
１２０  貯槽
１２２  コントローラ
１２４  ユーザインターフェース
６００  方法
７００  方法
【図１】
2019500109.tif 000003
【図２】
2019500109.tif 000004
【図３】
2019500109.tif 000005
【図４】
2019500109.tif 000006
【図５】
2019500109.tif 000007
【図６】
2019500109.tif 000008
【図７】
2019500109.tif 000009
【手続補正書】
【提出日】平成30年7月19日(2018.7.19)
【手続補正１】
【補正対象書類名】特許請求の範囲
【補正対象項目名】全文
【補正方法】変更
【補正の内容】
【特許請求の範囲】
【請求項１】
皮膚を通してビタミンＣを送達するイオン泳動法であって、
選択された電流プロファイル、連続直流電流、パルス電流のいずれか、または両方の組合せを少なくとも１つの電極を備える任意のデバイスおよび／またはサポートから生体対象に印加するステップであって、前記連続直流電流、前記パルス電流、または両方の前記組合せはビタミンＣを生体対象に経皮的に送達する性質のものであり、送達するのに十分な持続時間にわたるものである、ステップと、前記選択された電流モードに従って異なる率のビタミンＣを前記皮膚上に輸送するステップと、を含むイオン泳動法。
【請求項２】
イオン泳動組成物であって、
０．１重量％から３０重量％の範囲の量で存在するビタミンＣ、ビタミンＣ誘導体、ビタミンＣのイオン、およびビタミンＣ誘導体のイオンのうちの１つまたは複数と、
０．１重量％から３０重量％の範囲の量で存在する１つまたは複数のケイ素材料と、
少なくとも２０重量％の量で存在する水と、を含み、
前記イオン泳動組成物は前記イオン泳動組成物の総重量に対して少なくとも３０重量％である水相を有する、イオン泳動組成物。
【請求項３】
イオン泳動キットであって、
−  ビタミンＣ、ビタミンＣ誘導体、ビタミンＣのイオン、およびビタミンＣ誘導体のイオンのうちの１つまたは複数を含むイオン泳動組成物と、
−  請求項１に記載の前記イオン泳動法を実行するためのイオン泳動デバイスと、を備えるイオン泳動キット。
【請求項４】
イオン泳動デバイスであって、
少なくとも１つの電極と活性剤とを備える電極アセンブリと、
前記電極アセンブリに動作可能に結合され、少なくとも連続直流電流刺激およびパルス電流刺激を同じ電極に対して同時に発生させるように構成される回路であって、前記連続直流電流刺激および前記パルス電流刺激は活性剤を生体対象に送達する性質のものであり、送達するのに十分な持続時間にわたるものである、回路と、を備えるイオン泳動デバイス。
【請求項５】
前記連続直流電流刺激は、０．００１ｍＡ／ｃｍ２から０．５ｍＡ／ｃｍ２の範囲の平均電流密度を備える請求項４に記載のイオン泳動デバイス。
【請求項６】
前記パルス電流刺激は、０．０１ｍＡ／ｃｍ２から１０ｍＡ／ｃｍ２の範囲の平均電流密度と、５０マイクロ秒から１ミリ秒、好ましくは１００マイクロ秒から５００マイクロ秒の範囲のパルス幅と、１ヘルツから５００ヘルツの範囲のパルス周波数と、１％から９０％の範囲のパルスのデューティサイクルと、を備える請求項４または５に記載のイオン泳動デバイス。
【請求項７】
前記パルス電流刺激は、０．００１ｍＡ／ｃｍ２から１０ｍＡ／ｃｍ２の範囲の平均電流密度と、５０マイクロ秒から１ミリ秒の範囲のパルス幅と、２から２０パルスの範囲の少なくとも１つの波束（または波列）と、１ヘルツから５００ヘルツの範囲の波束の周波数と、１％から９０％の範囲のパルスのデューティサイクルと、を備える請求項４から６のいずれか一項に記載のイオン泳動デバイス。
【請求項８】
前記電極アセンブリは、活性剤、特に活性剤組成物、たとえば、水性活性剤組成物を保持する少なくとも１つの貯槽を備える請求項４から７のいずれか一項に記載のイオン泳動デバイス。
【請求項９】
前記電極アセンブリは、化粧品組成物、特に活性剤組成物を保持する貯槽に電気的に結合されている少なくとも１つの活性電極を備え、前記電極アセンブリは前記連続直流電流刺激および前記パルス電流刺激を同時に発生するように構成されている前記回路からの１つまたは複数の入力に応答して前記活性剤組成物を生体対象に経皮的に送達するように動作可能である請求項４から８のいずれか一項に記載のイオン泳動デバイス。
【請求項１０】
前記電極アセンブリは、少なくとも１つの電源に電気的に結合される請求項４から９のいずれか一項に記載のイオン泳動デバイス。
【請求項１１】
前記電極アセンブリは、
特に保湿剤もしくは保湿活性剤、アンチエージング活性剤、たとえば、脱色活性剤、皮膚微小循環に作用する活性剤、または皮脂調節活性剤から選択された活性剤を含む、フェイスケアまたはボディケア組成物と、
顔または身体のメークアップ用の組成物と、
ヘア組成物、特に、髪を洗うため、ヘアケアもしくはコンディショニングのため、髪の形を一時的に保持するかもしくは整えるため、髪を一時的に、半永久的に、もしくは永久的に染めるため、または髪のウェーブを緩和するかもしくは永久的なウェーブにするための組成物、特に、毛根および髪の縮れを真っ直ぐにする、染める、もしくは漂白するための組成物と、
頭皮用の組成物、特に、ふけ防止組成物、髪の喪失を予防するもしくは髪の再成長を促進するための組成物、抗脂漏性組成物、抗炎症性組成物、抗刺激もしくは鎮静組成物、マーク防止組成物、または頭皮を刺激もしくは保護するための組成物と、を含む化粧品組成物を保持する少なくとも１つの貯槽を具備する請求項４から１０のいずれか一項に記載のイオン泳動デバイス。
【請求項１２】
前記組成物が皮膚に塗布されるときに活性剤および水が前記組成物中にすでに混合されているように構成される請求項４から１１のいずれか一項に記載のイオン泳動デバイス。
【請求項１３】
前記活性剤は、ビタミンＣである請求項４から１２のいずれか一項に記載のイオン泳動デバイス。
【請求項１４】
温度センサ、インピーダンスセンサ、およびｐＨセンサのうちの少なくとも１つを備え、
電流プロファイルの印加が、前記センサのうちの１つによって測定された測定値が安全範囲もしくは安全値を超えたときに安全レベルまで下げられるように構成され得る、
請求項４から１３のいずれか一項に記載のイオン泳動デバイス。
【請求項１５】
イオン泳動法であって、
連続直流電流およびパルス電流を生体対象に同時に送達するステップであって、前記連続直流電流および前記パルス電流は化粧品組成物を生体対象に送達する性質のものであり、送達するのに十分な持続時間にわたるものである、ステップを含むイオン泳動法。
【国際調査報告】
2019500109.tif 000010
2019500109.tif 000011
2019500109.tif 000012
2019500109.tif 000013
2019500109.tif 000014